(57)【要約】  無線電力送信の方法は、無線電力信号を送信するように構成された１つ又は複数のアンテナと、１つ又は複数のプロセッサと、無線データトランシーバと、を有する無線電力送信装置において実行される。方法は、無線電力受信装置が、無線電力送信装置の近くに位置することを検出することと、無線電力受信装置に関連するデータトラフィックプロファイルを確立することであって、データトラフィックプロファイルが、無線データトランシーバを用いて、無線電力受信装置と無線電力送信装置との間で所定の周波数帯域を通じて交換されるデータ信号の識別を含むことと、データトラフィックプロファイルに基づき、所定の周波数帯域を通じて無線電力信号を無線電力受信装置に送信する時間窓を決定することと、決定された時間窓において、所定の周波数帯域を通じて無線電力信号を１つ又は複数のアンテナによって無線電力受信装置に送信することと、を含む。【選択図】図１
2021509570.tif 000002
【特許請求の範囲】
【請求項１】
無線電力送信の方法であって、
無線電力信号を送信するように構成された１つ又は複数のアンテナと、１つ又は複数のプロセッサと、無線データトランシーバと、を有する無線電力送信装置において、
無線電力受信装置が、前記無線電力送信装置の近くに位置することを検出することと、
前記無線電力受信装置が、前記無線電力送信装置の近くに位置することを検出した後で、前記無線電力受信装置に関連するデータトラフィックプロファイルを確立することであって、前記データトラフィックプロファイルが、前記無線データトランシーバを用いて、前記無線電力受信装置と前記無線電力送信装置との間で所定の周波数帯域を通じて交換されるデータ信号の識別を含むことと、
前記データトラフィックプロファイルに基づき、前記所定の周波数帯域を通じて無線電力信号を前記無線電力受信装置に送信する時間窓を１つ又は複数のプロセッサによって決定することと、
前記決定された時間窓において、前記所定の周波数帯域を通じて無線電力信号を前記１つ又は複数のアンテナによって前記無線電力受信装置に送信することと、を含む方法。
【請求項２】
交換されるデータ信号の前記識別が、各それぞれのデータ信号のそれぞれのデータタイプを識別する情報、及び各それぞれのデータ信号が交換されることになる時点を含む、請求項１に記載の方法。
【請求項３】
前記データトラフィックプロファイルを確立することが、前記データ信号の各々のためのそれぞれのデータタイプの各々に基づいて、前記データ信号を分類することと、
前記データ信号の各々のためのそれぞれの優先度レベルを決定することと、を含む、請求項２に記載の方法。
【請求項４】
無線電力信号を前記無線電力受信装置に送信する前記時間窓が、高優先度レベルを備えたデータ信号が交換されることにならない時間窓である、請求項２又は３に記載の方法。
【請求項５】
前記無線電力送信装置において、
それぞれの時間窓中に無線電力信号を送信している間に、
高優先度レベルを備えたデータ信号が、前記それぞれの時間窓中に交換されることになるという決定に従って、前記無線電力受信装置への無線電力信号の送信を一時停止することを更に含む、請求項１〜４のいずれか１項に記載の方法。
【請求項６】
前記無線電力送信装置において、
前記無線電力受信装置の充電レベルが、充電レベル閾値未満であるという決定に従って、前記無線電力受信装置への無線電力信号の前記送信を再開することを更に含む、請求項５に記載の方法。
【請求項７】
前記無線電力送信装置において、
無線電力信号の前記送信の再開と共に、データ信号の受信が中断され得るという通知を前記無線電力受信装置のユーザに提供することを更に含む、請求項６に記載の方法。
【請求項８】
無線電力信号の前記送信を再開することが、データ信号が前記無線電力受信装置と別の装置との間で交換されている間に、無線電力信号を送信することを含み、
前記方法が、前記無線電力送信装置において、
前記データ信号との干渉を最小化するために、前記無線電力信号の少なくとも１つの送信特性用の値を調整することを更に含む、請求項６に記載の方法。
【請求項９】
前記調整が、前記データ信号の交換が閾値誤り率を超える誤り率を有するという決定に従って実行される、請求項８に記載の方法。
【請求項１０】
前記調整が、前記誤り率が前記閾値誤り率未満に下がるまで実行される、請求項８又は９に記載の方法。
【請求項１１】
前記無線電力送信装置において、
前記無線電力送信装置と前記無線電力受信装置との間で交換される前記データ信号のそれぞれの優先度レベルに基づいて、前記無線電力信号用の少なくとも１つの送信特性用の値を調整することを更に含む、請求項１〜１０のいずれか１項に記載の方法。
【請求項１２】
前記無線電力受信装置が、前記無線電力送信装置の近くにあることを検出することが、前記無線電力送信装置における反射電力の測定値を用いて、前記無線電力受信装置が、前記無線電力送信装置の所定の距離内に配置されたことを検出することを含み、
前記方法が、
前記無線電力受信装置が、前記無線電力送信装置の前記所定の距離内に配置されたことの検出に応じて、且つ前記データトラフィックプロファイルを確立する前に、前記無線電力受信装置が、前記無線電力送信装置に無線電力制御信号を提供するまで、前記１つ又は複数のアンテナを介して、送信特性用のデフォルト値を用いて無線電力信号を前記無線電力受信装置に送信することであって、無線電力送信装置が、前記送信特性用の特定の値を決定するために、無線電力制御信号を用い、前記特定の値の少なくとも１つが、前記送信特性用の前記デフォルト値の対応値とは異なることを更に含む、請求項１〜１１のいずれか１項に記載の方法。
【請求項１３】
前記データトラフィックプロファイルに含まれるデータ信号の前記識別が、前記無線電力受信装置と前記無線電力送信装置との間で交換される無線電力制御信号の識別を含み、
前記無線電力送信装置が、無線電力信号を前記無線電力受信装置に送信するために用いられる送信特性用の値を決定するために、前記無線電力制御信号を用いる、請求項１〜１２のいずれか１項に記載の方法。
【請求項１４】
前記データトラフィックプロファイルに含まれるデータ信号の前記識別が、前記無線電力受信装置と前記無線電力送信装置との間で交換される特定用途向け信号の識別を更に含み、前記特定用途向けデータ信号が、前記無線電力受信装置上で動作しているソフトウェアアプリケーションと関連付けられる、請求項１３に記載の方法。
【請求項１５】
前記データトラフィックプロファイルがまた、前記無線電力送信装置と前記無線電力受信装置以外の追加装置との間で交換される追加データ信号の識別を含み、前記追加装置が、前記無線電力送信装置に通信可能に結合される、請求項１〜１４のいずれか１項に記載の方法。
【請求項１６】
前記データトラフィックプロファイルがまた、前記無線電力受信装置と前記無線電力送信装置以外の第２の装置との間で交換される特定用途向けデータ信号の識別を含み、前記第２の装置が、前記無線電力受信装置に通信可能に結合され、
前記特定用途向けデータ信号が、前記無線電力受信装置上で動作しているソフトウェアアプリケーションと関連付けられる、請求項１〜１５のいずれか１項に記載の方法。
【請求項１７】
前記データトラフィックプロファイルを確立することが、前記無線データトランシーバに関連するコントローラから前記データ信号の少なくとも幾つかに関する情報を１つ又は複数のプロセッサを介して受信することを含む、請求項１〜１６のいずれか１項に記載の方法。
【請求項１８】
前記データトラフィックプロファイルに含まれる前記データ信号におけるそれぞれのデータ信号の識別が、前記それぞれのデータ信号の送信特性用の値を含む、請求項１〜１７のいずれか１項に記載の方法。
【請求項１９】
無線電力送信の方法であって、
コントローラと、無線データトランシーバと、１つ又は複数の無線電力受信装置に無線電力信号を送信するように構成された１つ又は複数のアンテナと、を有する無線電力送信装置において、
前記無線電力送信装置の近くに位置する無線電力受信装置に無線電力信号を前記１つ又は複数のアンテナを介して送信することと、
前記無線電力送信装置と前記無線電力受信装置との間で交換されるデータ信号の送信に関する情報を前記コントローラによって受信することと、
前記無線電力受信装置への無線電力信号の送信が、前記データ信号におけるそれぞれのデータ信号の送信に勝る優先度を付けられるかどうかを決定するために、前記データ信号に関連する１つ又は複数の特性を評価することであって、前記１つ又は複数の特性が、前記第１の期間中に、且つ前記第１の期間とは異なる第２の期間中に前記それぞれのデータ信号が送信されることになることを示すことと、
前記それぞれのデータ信号の送信が、前記第１の期間中に、無線電力信号の送信に勝る優先度を付けられるという決定に従って、前記第１の期間中に、前記無線電力受信装置への無線電力信号の前記送信を一時停止することと、
無線電力信号の送信が、前記第２の期間中に、前記それぞれのデータ信号の送信に勝る優先度を付けられるという決定に従って、前記第２の期間中に前記無線電力受信装置への無線電力信号の送信を再開することと、
を含む方法。
【請求項２０】
前記データ信号が、（１）前記複数の無線電力信号の送信に関連する１つ又は複数のパラメータを含む電力制御データ信号のセットと、（２）前記無線電力送信装置と前記無線電力受信装置との間で交換されるアプリケーションデータのセットと、の１つ又は複数を含む、請求項１９に記載の方法。
【発明の詳細な説明】
【技術分野】
【０００１】
[0001]  本開示は、一般に無線電力送信に関し、特に無線電力送信信号及びデータ通信信号の共存を管理するためのシステム及び方法に関する。
【背景技術】
【０００２】
[0002]  ラップトップコンピュータ、携帯電話、タブレット、及び他の電子装置などの携帯用電子装置は、動作するために電力貯蔵コンポーネント（例えばバッテリ）の頻繁な充電を必要とする。多くの電子装置が、１日当たり１回又は複数回の充電を必要とする。しばしば、電子装置の充電は、有線充電ケーブルを用いて、コンセント又は他の電源に電子装置を手動で接続することを必要とする。場合によっては、電力貯蔵コンポーネントは、電子装置から取り外され、充電機器に挿入される。かかる充電は、時間がかかり、煩わしく、且つそれが、多数の充電ケーブル及び／又は他の充電装置を持ち運ぶことをユーザにしばしば要求し、ユーザの電子装置を充電するために適切な電源、例えば壁コンセントを見つけるようにユーザにしばしば要求するするので、非能率的である。加えて、従来の充電技法は、装置が充電している間に装置を用いる能力をユーザから潜在的に奪い、且つ／又はユーザの電子装置若しくは他の充電機器が接続される壁コンセント若しくは他の電源のすぐ近くに留まるようにユーザに要求する。
【０００３】
[0003]  この問題に対処する一方法は、無線周波数帯域など、或る媒体を介して電子装置に電力を無線で送信することである。無線電力送信は、干渉を回避するために、無線データ通信システムによって用いられる周波数帯域とは異なる周波数帯域を用いることができる。しかしながら、無線電力送信が、無線電力信号を転送するために、無線データ通信と同じ周波数帯域を共有する状況が存在する。送信媒体が共有されるので、無線電力送信と無線データ通信との間の競合は、干渉に帰着する可能性があり、それは、性能を低下させるか又はこれらのサービスの拒否に帰着する。
【発明の概要】
【０００４】
[0004]  従って、共存用の、且つ同じ周波数帯域における無線電力送信とデータ通信システム間の干渉を緩和する機構を提供することが望ましいであろう。本明細書で開示される無線電力送信用の方法及びシステムは、無線電力送信と無線データ通信との間の干渉を効果的に緩和する。例えば、無線電力送信装置は、無線データ通信の不活発な期間中に無線電力を送信することができる。
【０００５】
[0005]  幾つかの実施形態において、通信コントローラから生成された共存信号（例えばBluetooth Low Energy（ＢＬＥ）（ブルートゥース低エネルギ）コントローラからのハードウェア（ＨＷ）パケットタイミング調停（ＰＴＡ）信号）に基づいたデータトラフィックが存在することを無線電力送信装置の通信コントローラが示す場合に、無線電力送信は行われない。幾つかの実施形態において、通信コントローラから電力コントローラへのコマンドセットなど、電力プロファイルプロトコルからのプログラムされたデータトラフィックパターン（例えばトラフィックプロファイル）が存在する場合に、無線電力送信は行われない。幾つかの実施形態において、データトラフィックパターンは、
１）トラフィックパターン（例えばＢＴ同期接続指向（ＳＣＯ）／拡張ＳＣＯ／スニフパケットタイプ、ＢＬＥ接続イベント、Zigbeeビーコン）の期間、窓サイズ、オフセット、及び優先度などのパラメータと、
２）トラフィック同期化及びドリフト補償（例えば相異なる装置から共通時間領域へのトラフィックプロファイルの整列）と、
３）相異なるホップにおいて、装置からの電力プロファイルを設定すること（例えば電力受信装置と別の装置との間のデータトラフィック）と、
４）周波数帯域のチャネル評価（例えばアフェクト周波数帯域の決定）と、
を含む。
【０００６】
[0006]  幾つかの実施形態において、電力送信とデータ通信との間の調整可能な時間マージン中に無線電力送信は同様に行われない。
【０００７】
[0007]  幾つかの実施形態において、無線電力送信と無線データ通信との間の干渉は、（１）相異なるデータ通信トラフィックプロファイルを分類し優先度（例えばオーディオ／ビデオデータとバルクデータ送信との間の優先度）を付けることと、（２）データ通信に勝って無線電力送信に優先度を付けるためのポリシーを作成し、逆も同様である（例えば、低優先度バルクデータ送信に勝る最小充電比率を維持することと、（３）組み合わされたデータトラフィックプロファイルに対して、電力を変調することによって無線電力及びデータフレーム用のトラフィックプロファイルを形作ることと、によって電力送信及びデータ通信用のサービスの質（ＱｏＳ）を維持しながら、緩和することができる。
【０００８】
[0008]  幾つかの実施形態において、無線電力送信と無線データ通信との間の干渉緩和は、干渉の低減と交換に充電率を低下させるなど、同じ周波数帯域において電力制御を変調すること及び電力送信のレベルを調整することを更に含む。
【０００９】
[0009]  （Ａ１）幾つかの実施形態において、方法は、無線電力信号を送信するように構成された１つ又は複数のアンテナと、１つ又は複数のプロセッサと、無線データトランシーバと、を有する無線電力送信装置において実行される。方法は、無線電力受信装置が、無線電力送信装置の近くに位置することを検出することを含む。無線電力受信装置が、無線電力送信装置の近くに位置することを検出した後で、方法は、無線電力受信装置に関連するデータトラフィックプロファイルを確立することであって、データトラフィックプロファイルが、無線データトランシーバを用いて、無線電力受信装置と無線電力送信装置との間で所定の周波数帯域を通じて交換されるデータ信号の識別を含むことを含む。方法は、データトラフィックプロファイルに基づき、所定の周波数帯域を通じて無線電力信号を無線電力受信装置に送信する時間窓を１つ又は複数のプロセッサによって決定することを更に含む。決定された時間窓において、方法はまた、所定の周波数帯域を通じて無線電力信号を１つ又は複数のアンテナによって無線電力受信装置に送信することを含む。
【００１０】
[0010]  （Ａ２）Ａ１の方法の幾つかの実施形態において、交換されるデータ信号の識別は、各それぞれのデータ信号用のそれぞれのデータタイプを識別する情報、及び各それぞれのデータ信号が交換されることになる時点を含む。
【００１１】
[0011]  （Ａ３）Ａ１〜Ａ２のいずれか１つにおける幾つかの実施形態において、データトラフィックプロファイルを確立することは、データ信号の各々のためのそれぞれのデータタイプの各々に基づいて、データ信号を分類することと、データ信号の各々のためのそれぞれの優先度レベルを決定することと、を含む。
【００１２】
[0012]  （Ａ４）Ａ１〜Ａ３のいずれか１つにおける幾つかの実施形態において、無線電力信号を無線電力受信装置に送信する時間窓は、高優先度レベルを備えたデータ信号が交換されることにならない時間窓である。
【００１３】
[0013]  （Ａ５）Ａ１〜Ａ４のいずれか１つにおける幾つかの実施形態において、方法は、それぞれの時間窓中に無線電力信号を送信している間に、高優先度レベルを備えたデータ信号が、それぞれの時間窓中に交換されることになるという決定に従って、無線電力受信装置への無線電力信号の送信を一時停止することを更に含む。
【００１４】
[0014]  （Ａ６）Ａ１〜Ａ５のいずれか１つにおける幾つかの実施形態において、方法は、無線電力受信装置の充電レベルが、充電レベル閾値未満であるという判定に従って、無線電力受信装置への無線電力信号の送信を再開することを更に含む。
【００１５】
[0015]  （Ａ７）Ａ１〜Ａ６のいずれか１つにおける幾つかの実施形態において、方法は、無線電力信号の送信の再開と共に、データ信号の受信が中断され得るという通知を無線電力受信装置のユーザに提供することを更に含む。
【００１６】
[0016]  （Ａ８）Ａ１〜Ａ７のいずれか１つにおける幾つかの実施形態において、無線電力信号の送信を再開することは、データ信号が、無線電力受信装置と別の装置との間で交換されている間に、無線電力信号を送信することを含み、方法は、データ信号との干渉を最小化するために、無線電力信号用の少なくとも１つの送信特性を調整することを更に含む。
【００１７】
[0017]  （Ａ９）Ａ１〜Ａ８のいずれか１つにおける幾つかの実施形態において、調整は、データ信号の交換が、閾値誤り率を超える誤り率を有するという判定に従って実行される。
【００１８】
[0018]  （Ａ１０）Ａ１〜Ａ９のいずれか１つにおける幾つかの実施形態において、調整は、誤り率が閾値誤り率未満に下がるまで実行される。
【００１９】
[0019]  （Ａ１１）Ａ１〜Ａ１０のいずれか１つにおける幾つかの実施形態において、方法は、無線電力送信装置と無線電力受信装置との間で交換されるデータ信号のそれぞれの優先度レベルに基づいて、無線電力信号用の少なくとも１つの送信特性を調整することを更に含む。
【００２０】
[0020]  （Ａ１２）Ａ１〜Ａ１１のいずれか１つにおける幾つかの実施形態において、少なくとも１つの送信特性は、電力レベルである。
【００２１】
[0021]  （Ａ１３）Ａ１〜Ａ１２のいずれか１つにおける幾つかの実施形態において、無線電力受信装置が、無線電力送信装置の近くにあることを検出することは、無線電力送信装置における反射電力の測定値を用いて、無線電力受信装置が、無線電力送信装置の所定の距離内に配置されたことを検出することと、無線電力受信装置が、無線電力送信装置の所定の距離内に配置されたことの検出に応じて、且つデータトラフィックプロファイルを確立する前に、無線電力受信装置が、無線電力送信装置に無線電力制御信号を提供するまで、１つ又は複数のアンテナを介して、デフォルト特性を備えた無線電力信号を無線電力受信装置に送信することと、を含む。幾つかの実施形態において、無線電力送信装置は、無線電力受信装置に無線電力信号を送信するために用いる、デフォルト特性とは別の特定の特性を決定するために、無線電力制御信号を用いる。
【００２２】
[0022]  （Ａ１４）Ａ１〜Ａ１３のいずれか１つにおける幾つかの実施形態において、データトラフィックプロファイルに含まれるデータ信号の識別は、無線電力受信装置と無線電力送信装置との間で交換される無線電力制御信号の識別を含み、無線電力送信装置は、無線電力信号を無線電力受信装置に送信するために用いるための特定の特性を決定するために、無線電力制御信号を用いる。
【００２３】
[0023]  （Ａ１５）Ａ１〜Ａ１４のいずれか１つにおける幾つかの実施形態において、データトラフィックプロファイルに含まれるデータ信号の識別は、無線電力受信装置と無線電力送信装置との間で交換される特定用途向けデータ信号の識別を更に含み、特定用途向けデータ信号は、無線電力受信装置上で動作しているソフトウェアアプリケーションと関連付けられる。
【００２４】
[0024]  （Ａ１６）Ａ１〜Ａ１５のいずれか１つにおける幾つかの実施形態において、データトラフィックプロファイルはまた、無線電力送信装置と無線電力受信装置以外の追加装置との間で交換される追加データ信号の識別を含み、追加装置は、無線電力送信装置に通信可能に結合される。
【００２５】
[0025]  （Ａ１７）Ａ１〜Ａ１６のいずれか１つにおける幾つかの実施形態において、追加装置は、第２の無線電力受信装置であり、追加データ信号は、第２の無線電力受信装置と無線電力送信装置との間で交換される無線電力制御信号を含み、無線電力送信装置は、第２の無線電力受信装置に無線電力信号を送信するために用いる特定の特性を決定するために、無線電力制御信号を用いる。
【００２６】
[0026]  （Ａ１８）Ａ１〜Ａ１７のいずれか１つにおける幾つかの実施形態において、追加データ信号は、第２の無線電力受信装置と無線電力送信装置との間で交換される特定用途向けデータ信号を含み、特定用途向けデータ信号は、第２の無線電力受信装置上で動作しているソフトウェアアプリケーションと関連付けられる。
【００２７】
[0027]  （Ａ１９）Ａ１〜Ａ１８のいずれか１つにおける幾つかの実施形態において、データトラフィックプロファイルはまた、無線電力受信装置と無線電力送信装置以外の第２の装置との間で交換される特定用途向けデータ信号の識別を含み、第２の装置は、無線電力受信装置に通信可能に結合され、特定用途向けデータ信号は、無線電力受信装置上で動作しているソフトウェアアプリケーションと関連付けられる。
【００２８】
[0028]  （Ａ２０）Ａ１〜Ａ１９のいずれか１つにおける幾つかの実施形態において、データ信号は、複数の電力送信信号と同じ周波数帯域を用いて交換されることになる。
【００２９】
[0029]  （Ａ２１）Ａ１〜Ａ２０のいずれか１つにおける幾つかの実施形態において、無線電力受信装置は、無線電力信号を受信し、且つそれを使用可能な電力に変換するための回路と、回路に結合される電子装置用と、を含み、回路は、電子装置の動作電力を供給するか又はそのバッテリを充電するために、電子装置に使用可能な電力を供給する。
【００３０】
[0030]  （Ａ２２）Ａ１〜Ａ２１のいずれか１つにおける幾つかの実施形態において、データトラフィックプロファイルを確立することは、無線データトランシーバに関連するコントローラからデータ信号の少なくとも幾つかに関する情報を１つ又は複数のプロセッサを介して受信することを含む。
【００３１】
[0031]  （Ａ２３）Ａ１〜Ａ２２のいずれか１つにおける幾つかの実施形態において、データトラフィックプロファイルに含まれるデータ信号のそれぞれのデータ信号の識別は、それぞれのデータ信号用の送信特性を含む。
【００３２】
[0032]  （Ｂ１）幾つかの実施形態において、方法は、コントローラと、無線通信コンポーネントと、１つ又は複数の無線電力受信装置に無線電力信号を送信するように構成された１つ又は複数のアンテナと、を有する無線電力送信装置において実行される。方法は、無線電力送信装置の近くに位置する無線電力受信装置に無線電力信号を１つ又は複数のアンテナを介して送信することを含む。方法は、無線電力送信装置と無線電力受信装置との間で交換されるデータ信号の送信に関する情報をコントローラによって受信することを更に含む。方法はまた、無線電力受信装置への無線電力信号の送信が、データ信号におけるそれぞれのデータ信号の送信に勝る優先度を付けられるかどうかを決定するために、データ信号に関連する１つ又は複数の特性を評価することであって、１つ又は複数の特性が、第１の期間中に、且つ第１の期間とは異なる第２の期間中にそれぞれのデータ信号が送信されることになることを示すことを含む。方法はまた、それぞれのデータ信号の送信が、第１の期間中に、無線電力信号の送信に勝る優先度を付けられるという決定に従って、第１の期間中に、無線電力受信装置への無線電力信号の送信を一時停止することを含む。方法は、無線電力信号の送信が、第２の期間中に、それぞれのデータ信号の送信に勝る優先度を付けられるという決定に従って、第２の期間中に、無線電力受信装置への無線電力信号の送信を再開することを更に含む。
【００３３】
[0033]  （Ｂ２）Ｂ１の幾つかの実施形態において、データ信号は、（１）無線電力信号の送信に関連する１つ又は複数のパラメータを含む電力制御データ信号のセットと、（２）無線電力送信装置と第１の無線電力受信装置との間で交換されるアプリケーションデータのセットの１つ又は複数を含む。
【００３４】
[0034]  （Ｂ３）Ｂ１又はＢ２の幾つかの実施形態において、方法は、無線電力受信装置が、無線電力送信装置の近くに位置することを検出することを含み、方法は、無線電力送信装置に関連するデータトラフィックプロファイルを確立することであって、データトラフィックプロファイルが、無線データトランシーバを用いて、無線電力受信装置と無線電力送信装置との間で所定の周波数帯域を通じて交換されるデータ信号の識別を含むことを含む。方法は、データトラフィックプロファイルに基づいて、所定の周波数帯域を通じて無線電力信号を無線電力受信装置に送信する時間窓を１つ又は複数のプロセッサによって決定することを更に含む。決定された時間窓において、方法はまた、所定の周波数帯域を通じて無線電力信号を１つ又は複数のアンテナによって無線電力受信装置に送信することを含む。
【００３５】
[0035]  上記で説明された様々な実施形態が、本明細書で説明される任意の他の実施形態と組み合わされ得ることに留意されたい。本明細書で説明される特徴及び利点は、全てを含むわけではなく、特に、多くの追加の特徴及び利点が、図面、明細書、及び特許請求の範囲を考慮すれば当業者に明らかになろう。更に、本明細書で用いられる言語が、読みやすさ及び教育的な目的で主として選択され、且つ本発明の主題を明確に描写するためにも境界を定めるためにも選択されなかった可能性があることが留意されるべきである。
【００３６】
[0036]  本開示が、より詳細に理解され得るように、より特有の説明が、様々な実施形態の特徴への言及によって得ることが可能であり、実施形態の幾つかは、添付の図面に示されている。しかしながら、添付の図面は、本開示の関係のある特徴を示すだけであり、従って限定と考えられるべきではない。何故なら、説明は、他の有効な特徴を認め得るからである。
【図面の簡単な説明】
【００３７】
【図１】[0037]幾つかの実施形態による、代表的な無線電力送信環境におけるコンポーネントのブロック図である。
【図２】[0038]幾つかの実施形態による、例示的な無線電力送信システムのブロック図である。
【図３】[0039]幾つかの実施形態による、例示的な無線電力送信システムのブロック図である。
【図４】[0040]幾つかの実施形態による、バッテリ切れの動作状態における例示的な無線電力送信システムの概略図である。
【図５】[0041]幾つかの実施形態による、アプリケーションデータ送信のない活性動作状態における例示的な無線電力送信システムの概略図である。
【図６】[0042]幾つかの実施形態による、無線電力送信及びアプリケーションデータ送信の両方を含むそれぞれの活性動作状態における例示的な無線電力送信システムの概略図である。
【図７】[0042]幾つかの実施形態による、無線電力送信及びアプリケーションデータ送信の両方を含むそれぞれの活性動作状態における例示的な無線電力送信システムの概略図である。
【図８】[0042]幾つかの実施形態による、無線電力送信及びアプリケーションデータ送信の両方を含むそれぞれの活性動作状態における例示的な無線電力送信システムの概略図である。
【図９】[0042]幾つかの実施形態による、無線電力送信及びアプリケーションデータ送信の両方を含むそれぞれの活性動作状態における例示的な無線電力送信システムの概略図である。
【図１０Ａ】[0043]幾つかの実施形態による、単一通信コントローラを含む例示的な無線電力送信機の概略図である。
【図１０Ｂ】[0044]幾つかの実施形態による、多数の通信コントローラを含む例示的な無線電力送信機の概略図である。
【図１１】[0045]幾つかの実施形態による、例示的なトラフィックプロファイルの概略図である。
【図１２】[0046]幾つかの実施形態による、トラフィックプロファイル情報及びハードウェア共存信号に基づいた調停の概略図である。
【図１３】[0047]幾つかの実施形態による、例示的な充電率プロファイルアルゴリズムを示す概略図である。
【図１４】[0048]幾つかの実施形態による、例示的な組み合わされた充電プロファイルを示す概略図である。
【図１５】[0049]幾つかの実施形態による、例示的な優先度調停アルゴリズムを示す概略図である。
【図１６】[0050]幾つかの実施形態による、優先度調停アルゴリズムを適用した結果としての優先度調停波形を示す。
【図１７】[0051]幾つかの実施形態による、図１２、１４及び１５に示されているような調停サブシステムを含む例示的な調停システムを示す概略図である。
【図１８】[0052]幾つかの実施形態による、高〜低電力レベル緩和プロセスを示す例示的な無線電力送信システムの概略図である。
【図１９Ａ】[0053]幾つかの実施形態による、無線電力送信のそれぞれの方法を示す流れ図である。
【図１９Ｂ】[0053]幾つかの実施形態による、無線電力送信のそれぞれの方法を示す流れ図である。
【発明を実施するための形態】
【００３８】
[0054]  一般的な慣習によれば、図面に示される様々な特徴は、一定の比率で描かれなくてもよい。従って、様々な特徴の寸法は、明確にするために任意に拡大又は縮小されてもよい。加えて、図面の幾つかは、所与のシステム、方法、又は装置のコンポーネントの全ては表現しなくてもよい。最後に、同様の参照数字は、明細書及び図の全体を通して同様の特徴示すために用いられてもよい。
【００３９】
[0055]  添付の図面に示されている例示的な実施形態の完全な理解を提供するために、多くの詳細が本明細書で説明される。しかしながら、幾つかの実施形態は、特定の詳細の多くがなくても実施され得、請求項の範囲は、請求項において特に挙げられた特徴及び態様によってのみ制限される。更に、周知のプロセス、コンポーネント、及び材料は、本明細書で説明される実施形態の関係する態様を不必要に曖昧にしないように、余すところなく詳細に説明されたわけではいない。
【００４０】
[0056]  本明細書の幾つかの実施形態は、主な例としして無線周波数（ＲＦ）ベースの送波技術の使用を含むが、使用され得る無線充電技法が、ＲＦベースの技術及び送信技法に制限されないことを認識されたい。より正確に言えば、受信機が、送信されたエネルギを電力に変換できるように、無線でエネルギを送信するための任意の適切な技術及び技法を含む追加又は代替の無線充電技術が利用されてもよいことを認識されたい。かかる技術又は技法は、次の非限定的な例、即ち、超音波、マイクロ波、共鳴磁界及び誘導磁界、レーザ光、赤外線、又は他の形態の電磁エネルギを含む、様々な形態の無線で送信されたエネルギを送信してもよい。
【００４１】
[0057]  例えば、超音波の場合に、１つ又は複数のトランスデューサ素子が、超音波を受信し、且つそれらを電力に変換する受信装置の方へ超音波を送信するトランスデューサアレイを形成するように配置されてもよい。共鳴又は誘導磁界の場合に、磁界は、送信機コイルにおいて生成され、受信機コイルによって電力に変換される。加えて、幾つかの実施形態において、電力のＲＦ受信及びこのパラグラフにおいて言及される他の電力受信方法の両方のための、潜在的に多数のコンポーネントを含む単一ユニットとして、例示的な受信機システムが示されているが、受信機システムは、コンパクトな規則構造ではなく、部屋中に物理的に広げられた多数の受信機を含むことができる。
【００４２】
[0058]  図１は、幾つかの実施形態による、無線電力送信環境１００のコンポーネントのブロック図である。無線電力送信環境１００は、例えば、送信機１０２（例えば送信機１０２ａ、１０２ｂ．．．１０２ｎ）及び１つ又は複数の受信機１２０を含む。幾つかの実施形態において、無線電力送信環境１００は、多数の受信機１２０を含み、それらのそれぞれは、それぞれの電子装置１２２（例えば電子装置１２２ａ、１２２ｂ．．．１２２ｍ）に関連付けられる。
【００４３】
[0059]  例示的な送信機１０２（例えば送信機１０２ａ）は、例えば、１つ若しくは複数のプロセッサ１０４、メモリ１０６、１つ若しくは複数のアンテナアレイ１１０、１つ若しくは複数の通信コンポーネント１１２（本明細書では「無線データトランシーバ」とも呼ばれる）、及び／又は１つ若しくは複数の送信機センサ１１４を含む。幾つかの実施形態において、これらのコンポーネントは、通信バス１０８を経由して相互接続される。送信機１０２のこれらのコンポーネントへの言及は、これらのコンポーネント（及びそれらの組み合わせ）のそれぞれにおける１つ又は２つ以上が含まれる実施形態をカバーする。
【００４４】
[0060]  幾つかの実施形態において、メモリ１０６は、本明細書において「モジュール」と集合的に呼ばれる１つ若しくは複数のプログラム（例えば命令セット）及び／又はデータ構造を格納する。幾つかの実施形態において、メモリ１０６、又はメモリ１０６の非一時的なコンピュータ可読記憶媒体は、以下のモジュール１０７（例えばプログラム及び／若しくはデータ構造）、又はそれらのサブセット若しくは上位セットを格納する。
●  （例えば受信機センサ１２８によって生成され、次に送信機１０２ａに送信される）受信機１２０から受信された情報、
●  送信機センサ１１４から受信された情報、
●  １つ若しくは複数の送信機１０２によって送信された１つ若しくは複数の電力波１１６を調整する適応ポケット形成モジュール、及び／又は
●  （例えば１つ若しくは複数の送信機１０２の送信フィールド内で）受信機１２０を検出するための通信信号１１８を送信するビーコン送信モジュールである。
【００４５】
[0061]  上記で識別されたモジュール（例えば命令セットを含むデータ構造及び／又はプログラム）は、別個のソフトウェアプログラム、手順又はモジュールとして実現される必要はなく、従って、これらのモジュールの様々なサブセットは、様々な実施形態において組み合わされるか、そうでなければ再配置されてもよい。幾つかの実施形態において、メモリ１０６は、上記で識別されたモジュールのサブセットを格納する。幾つかの実施形態において、通信コンポーネント１１２に通信可能に接続される外部マッピングメモリ１３１は、上記で識別された１つ又は複数のモジュールを格納する。更に、メモリ１０６及び／又は外部マッピングメモリ１３１は、上記で説明されていない追加モジュールを格納してもよい。幾つかの実施形態において、メモリ１０６又はメモリ１０６の非一時的なコンピュータ可読記憶媒体に格納されたモジュールは、以下で説明される方法のそれぞれの動作を実行するための命令を提供する。幾つかの実施形態において、これらのモジュールの幾つか又は全ては、モジュール機能の一部又は全てを包括する専門ハードウェア回路で実施されてもよい。上記で識別された要素の１つ又は複数は、プロセッサ１０４の１つ又は複数によって実行されてもよい。幾つかの実施形態において、メモリ１０６に関連して説明されたモジュールの１つ又は複数は、１つ又は複数の送信機１０２に通信可能に結合されるサーバ（図示せず）のプロセッサ１０４上に、且つ／又は電子装置１２２及び／若しくは受信機１２０のメモリによって実現される。
【００４６】
[0062]  幾つかの実施形態において、単一プロセッサ１０４（例えば送信機１０２ａのプロセッサ１０４）は、多数の送信機１０２（例えば送信機１０２ｂ．．．１０２ｎ）を制御するためのソフトウェアモジュールを実行する。幾つかの実施形態において、単一送信機１０２（例えば送信機１０２ａ）は、（例えば、アンテナアレイ１１０による信号１１６の送信を制御するように構成された）１つ若しくは複数の送信機プロセッサと、（例えば、通信コンポーネント１１２によって送信された通信を制御するように、且つ／若しくは通信コンポーネント１１２を経由した通信を受信するように構成された）１つ又は複数の通信コンポーネントプロセッサと、及び／又は（送信機センサ１１４の動作を制御するように、且つ／若しくは送信機センサ１１４からの出力を受信するように構成された）１つ若しくは複数のセンサプロセッサと、などの多数のプロセッサ１０４を含む。
【００４７】
[0063]  受信機１２０（例えば電子装置１２２の受信機）は、送信機１０２によって送信された無線電力信号１１６及び／又はデータ通信信号１１８を受信する。幾つかの実施形態において、受信機１２０は、１つ又は複数のアンテナ１２４（例えば多数のアンテナ素子を含むアンテナアレイ）、整流器１２５、電力変換器１２６、受信機センサ１２８、並びに／又は他のコンポーネント若しくは回路（例えばプロセッサ１４０、メモリ１４２、及び／若しくは通信コンポーネント１４４）を含む。幾つかの実施形態において、これらのコンポーネントは、通信バス１４６を経由して相互接続される。受信機１２０のこれらのコンポーネントへの言及は、これらのコンポーネント（及びそれらの組み合わせ）のそれぞれにおける１つ又は２つ以上が含まれる実施形態をカバーする。受信機１２０は、電子装置１２２に電力を供給し且つ／又はそれを充電するために、受信された無線電力信号１１６（例えば電力波）からのエネルギを電気エネルギに変換する。例えば、受信機１２０は、無線電力波１１６からの捕捉されたエネルギを、電子装置１２２に電力を供給し且つ／又はそれを充電するために使用可能な交流（ＡＣ）電気又は直流（ＤＣ）電気に変換するために、電力変換器１２６を用いる。電力変換器１２６の非限定的な例は、適切な回路及び装置の中で、整流器、整流回路、電力管理集積回路（ＰＭＩＣ）、電圧調整器を含む。
【００４８】
[0064]  幾つかの実施形態において、受信機１２０は、１つ又は複数の電子装置１２２に着脱可能に結合されるスタンドアロン装置である。例えば、電子装置１２２は、電子装置１２２の１つ又は複数の機能を制御するためのプロセッサ１３２を有し、受信機１２０は、受信機１２０の１つ又は複数の機能を制御するためのプロセッサ１４０を有する。
【００４９】
[0065]  幾つかの実施形態において、受信機は、電子装置１２２のコンポーネントである。例えば、プロセッサ１３２は、電子装置１２２及び受信機１２０の機能を制御する。
【００５０】
[0066]  幾つかの実施形態において、電子装置１２２は、プロセッサ１３２、メモリ１３４、通信コンポーネント１３６、及び／又はバッテリ１３０を含む。幾つかの実施形態において、これらのコンポーネントは、通信バス１３８を経由して相互接続される。幾つかの実施形態において、電子装置１２２と受信機１２０との間の通信は、通信コンポーネント１３６及び／又は１４４を介して生じる。幾つかの実施形態において、電子装置１２２と受信機１２０との間の通信は、通信バス１３８と通信バス１４６との間の有線接続を介して生じる。幾つかの実施形態、電子装置１２２及び受信機１２０は、単一の通信バスを共有する。
【００５１】
[0067]  幾つかの実施形態において、受信機１２０は、１つ又は複数の無線電力波１１６を送信機１０２から直接受信する。幾つかの実施形態において、受信機１２０は、送信機１０２によって送信された１つ又は複数の無線電力波１１６によって生成されたエネルギの１つ又は複数のポケットから電力波を収穫する。
【００５２】
[0068]  幾つかの実施形態において、無線電力波１１６が、受信され、且つ／又はエネルギが、エネルギのポケットから収穫された後で、受信機１２０の回路（例えば集積回路、増幅器、整流器、ＰＭＩＣ、及び／又は電圧調整器）は、無線電力波（例えば無線周波数電磁放射）のエネルギを使用可能な電力（即ち電気）に変換し、電気は、電子装置１２２に電力を供給し、且つ／又は電子装置１２２のバッテリ１３０に貯蔵される。幾つかの実施形態において、無線電力波１１６から変換された使用可能な電力は、受信機１２０に位置するバッテリ（図示せず）、又は電子装置１２２及び受信機１２０とは別個のバッテリ（図示せず）に貯蔵される。幾つかの実施形態において、受信機１２０の整流回路１２５は、電子装置１２２による使用のために、電気エネルギをＡＣからＤＣに変形する。幾つかの実施形態において、電圧調整回路は、電子装置１２２によって要求されるように、電気エネルギの電圧を上昇又は低下させる。幾つかの実施形態において、継電器は、受信機１２０から電子装置１２２に電気エネルギを伝える。
【００５３】
[0069]  幾つかの実施形態において、受信機１２０は、電子装置１２２のコンポーネントである。幾つかの実施形態において、受信機１２０は、電子装置１２２に結合（例えば、着脱可能に結合）される。幾つかの実施形態において、電子装置１２２は、受信機１２０の周辺装置である。幾つかの実施形態において、電子装置１２２は、多数の送信機１０２から、且つ／又は多数の受信機１２０を用いて電力を取得する。幾つかの実施形態において、無線電力送信環境１００は、複数の電子装置１２２を含み、各電子装置１２２は、電子装置１２２を充電するための使用可能な電力にされる電力波を送信機１０２から収穫するために用いられる少なくとも１つのそれぞれの受信機１２０を有する。
【００５４】
[0070]  幾つかの実施形態において、アンテナ素子１２４の１つ又は複数のセットは、それらのそれぞれの整流器１２５と接続する。多数の整流器１２５が、アンテナ素子１２４におけるそれらのそれぞれのセットに接続され得る。例えば、相異なる実施形態において、２つ、４つ、８つ又は１６のアンテナ素子が、１つの整流器１２５と結合される。アンテナ素子１２４は、１つ又は複数の無線電力送信機１０２によって送信された無線電力波から電力を無線で抽出又は収穫する。幾つかの実施形態において、アンテナ素子１２４は、アンテナアーム及びアンテナ接地平面を含む。
【００５５】
[0071]  アンテナ素子１２４は、送信機によって用いられる周波数帯域において信号を送信及び／又は受信できる任意のタイプのアンテナを含む。更に、アンテナ素子１２４は、指向性及び／又は無指向性であってもよく、且つ平面アンテナ素子、パッチアンテナ素子、ダイポールアンテナ素子、及び／又は無線電力送信用の任意の他の適切なアンテナを含んでもよい。適切なアンテナタイプは、例えば、約１／８インチ（０．３１７５ｃｍ）〜約６インチ（１５．２４ｃｍ）の高さ及び約１／８インチ（０．３１７５ｃｍ）〜約６インチ（１５．２４ｃｍ）の幅を備えたパッチアンテナを含んでもよい。アンテナ素子１２４の形状及び方位は、受信機システム１２０の所望の特徴に依存して変化してもよい。方位は、３次元配置における様々な方位型及び組み合わせと同様に、Ｘ、Ｙ及び／又はＺ軸において平らであってもよい。アンテナ素子１２４は、高効率、優れた放熱性などを備えたＲＦ信号送信を可能にする任意の適切な材料で作製されてもよい。アンテナ素子１２４の数は、送信機の所望の範囲及び電力送信能力と関連して変化してもよい。即ち、より多くのアンテナ素子、より広い範囲、及びより高い電力送信能力がある。
【００５６】
[0072]  アンテナ素子１２４は、９００ＭＨｚ、２．５ＧＨｚ、又は５．８ＧＨｚなどの周波数帯域で動作するための適切なアンテナタイプを含んでもよい。何故なら、これらの周波数帯域が、米国連邦通信委員会（ＦＣＣ）規則パート１８（産業、科学、医療器具）に一致するからである。アンテナ素子１２４は、独立した周波数において動作し、ポケット形成の多重チャネルの動作を可能にしてもよい。加えて、アンテナ素子１２４は、受信機１２０の様々な表面に位置してもよい。アンテナ素子１２４は、単一アレイ、ペアアレイ、４アレイ、及び所望の用途に従って設計され得る任意の他の適切な配置で動作してもよい。
【００５７】
[0073]  幾つかの実装形態において、プリント回路基板ＰＣＢ又はＲＦ集積回路（ＩＣ）の側面全体が、アンテナ素子１２４と密にパックされてもよい。ＲＦＩＣは、多数のアンテナ素子と接続してもよい。多数のアンテナ素子１２４は、単一のＲＦＩＣを囲んでもよい。
【００５８】
[0074]  受信機システム１２０の整流器１２５は、アンテナ素子１２４によって生成された交流（ＡＣ）電圧を直流（ＤＣ）電圧に整流するために、ダイオード、抵抗器、誘導子、及び／又はコンデンサを含んでもよい。整流器１２５は、電力送信信号から集められた電気エネルギにおける損失を最小化するために、技術的に可能な限りアンテナ素子１２４の近くに配置されてもよい。交流電圧を整流した後で、結果として得られたＤＣ電圧は、電力変換器（図示せず）を用いて調整されてもよい。電力変換器は、電子装置に、又はこの例示的な受信機システム１２０におけるように、バッテリ（例えば電子装置１２２のバッテリ１３０か、受信機１２０に含まれるバッテリ（図示せず）か、若しくは電子装置１２２及び受信機１２０とは別個のバッテリ（図示せず））に、入力にかかわらず定電圧出力を供給することを支援し得るＤＣ−ＤＣ変換器とすることができる。典型的な電圧出力は、約５ボルト〜約１０ボルトとすることができる。幾つかの実施形態において、電力変換器は、電子スイッチモードＤＣ−ＤＣ変換器を含んでもよく、それは、高効率を提供することができる。かかる実施形態において、受信機１２０は、電気エネルギを受信するために電力変換器の前に位置するコンデンサ（図示せず）を含んでもよい。コンデンサは、十分な電流が電子スイッチング装置（例えばスイッチモードＤＣ−ＤＣ変換器）に供給されることを保証することが可能であり、その結果、電子スイッチング装置は、効果的に動作し得る。電子装置、例えば電話又はラップトップコンピュータを充電する場合に、電子スイッチモードＤＣ−ＤＣ変換器の動作を始動させるために必要とされる最小電圧を超えることができる初期高電流が、要求される可能性がある。かかる場合に、コンデンサ（図示せず）は、要求される追加のエネルギを供給するために、受信機１２０の出力部に追加されてもよい。その後、より低い電力が供給され得る。例えば、電話又はラップトップにまだ充電を増強させている間に用いられ得る合計初期電力の１／８０である。
【００５９】
[0075]  整流器１２５からの電流は、電力管理集積回路（ＰＭＩＣ）（図示せず）に供給される。ＰＭＩＣは、ホストシステムの電力要件を管理するためのシステムオンチップ装置における集積回路及び／又はシステムブロックである。ＰＭＩＣは、バッテリ管理機能、電圧調整機能、及び充電機能を含んでもよい。それは、動的な電圧スケーリングを可能にするためにＤＣ−ＤＣ変換器を含んでもよい。幾つかの実装形態において、ＰＭＩＣは、９５％の電力変換効率まで提供し得る。幾つかの実装形態において、ＰＭＩＣは、動的な周波数スケーリングと組み合わせて統合してもよい。ＰＭＩＣは、携帯電話及び／又は携帯型メディアプレーヤなどのバッテリ駆動装置に実現されてもよい。幾つかの実装形態において、バッテリ１３０は、入力コンデンサ及び出力コンデンサと取り替えられてもよい。ＰＭＩＣは、バッテリ１３０及び／又はコンデンサに直接接続されてもよい。バッテリ１３０が、直接充電される場合に、コンデンサは、実現されなくてもよい。幾つかの実装形態において、ＰＭＩＣは、バッテリ１３０のまわりに巻かれてもよい。ＰＭＩＣは、バッテリ充電器として働く、且つバッテリ１３０に接続される電力管理チップ（ＰＭＣ）を含んでもよい。ＰＭＩＣは、パルス周波数変調（ＰＦＭ）及びパルス幅変調（ＰＷＭ）を用いることができる。それは、スイッチング増幅器（Ｄ級電子増幅器）を用いることができる。幾つかの実装形態において、出力変換器、整流器、及び／又はＢＬＥもまた、ＰＭＩＣに含まれてもよい。
【００６０】
[0076]  幾つかの実施形態において、１つ又は複数の送信機１０２は、電力波１１６の１つ又は複数の特性（例えば位相、利得、方向、及び／又は周波数）を調整する。例えば、送信機１０２（例えば送信機１０２ａ）は、電力波１１６の送信を開始し、電力波１１６の送信を中止し、且つ／又は電力波１１６送信するために用いられる１つ又は複数の特性を調整するために、アンテナアレイ１１０の１つ又は複数のアンテナ素子のサブセットを選択する。幾つかの実装形態において、１つ又は複数の送信機１０２は、電力波１１６の軌道が、送信フィールド内の所定の位置（例えば空間における位置又は領域）に集束し、制御された強め合う又は弱め合う干渉パターンに帰着するように、電力波１１６を調整する。
【００６１】
[0077]  幾つかの実施形態において、１つ又は複数の送信機１０２のそれぞれのアンテナアレイ１１０は、１つ又は複数の送信機１０２のそれぞれの送信フィールドに電力波１１６を送信するように構成された１つ又は複数のアンテナのセットを含んでもよい。コントローラ回路及び／又は波形発生器など、それぞれの送信機１０２の集積回路（図示せず）は、アンテナの挙動を制御してもよい。例えば、通信信号１１８を経由して受信機から受信された情報に基づいて、コントローラ回路は、受信機１０２及び電子装置１２２に効率的に電力を供給するだろう電力波１１６を送信するために用いられる１つ又は複数の特性又は波形特性（例えば、数ある特性の中で振幅、周波数、軌道、方向、位相）のセットを決定してもよい。コントローラ回路はまた、無線電力波１１６を送信する際に効果的であろうアンテナサブセットをアンテナアレイ１１０から識別してもよい。別の例として、プロセッサ１０４に結合されたそれぞれの送信機１０２の波形発生器回路は、エネルギを変換し、且つコントローラによって識別された波形特性を有する無線電力波１１６を生成し、次に送信用にアンテナアレイ１１０に電力波を供給してもよい。
【００６２】
[0078]  幾つかの実施形態において、アンテナアレイ１１０からの相異なるアンテナサブセットは、相異なる位置の受信機１２０又は電子装置１２２を充電するために用いられる。幾つかの実施形態において、アンテナアレイ１１０とは相異なる周波数を備えた相異なるアンテナサブセットは、相異なる位置の受信機１２０又は電子装置１２２を充電するために用いられる。例えば、各受信機１２０又は電子装置１２２は、アンテナアレイ１１０からのアンテナサブセットから特定の周波数を受信する。幾つかの実施形態において、相異なるアンテナサブセットからの周波数は、重ならない。幾つかの実施形態において、アンテナアレイ１１０からの相異なるアンテナサブセットは、相異なる位置の受信機１２０又は電子装置１２２のまわりのエネルギのポケットを形成するために用いられる。
【００６３】
[0079]  幾つかの実施形態において、電力波の強め合う干渉は、合成波の振幅が、電力波の単一の波の振幅より大きいように、２つ以上の電力波１１６が、互いに同相であり且つ合成波に集束する場合に、生じる。例えば、多数のアンテナから或る位置に到達した正弦波形の正及び負ピークは、より大きな正及び負ピークを生成するために「結合する」。幾つかの実施形態において、エネルギのポケットは、電力波の強め合う干渉が生じる送信フィールドにおける或る位置で形成される。幾つかの実施形態において、強め合う干渉パターンによって生成されるエネルギのポケットの最大寸法は、５ミリメートル（ｍｍ）超、１０ｍｍ超、１５ｍｍ超、２０ｍｍ超、５０ｍｍ超、１００ｍｍ超、５００ｍｍ超、１０００ｍｍ超、２０００ｍｍ超、又は５０００ｍｍ超である。幾つかの実施形態において、特定の送信周波数用に強め合う干渉パターンによって生成されるエネルギのポケットの最大寸法は、半波長を超えるか、１波長を超えるか、５波長を超えるか、１０波長を超えるか、１００波長を超えるか、１０００波長を超えるか、又は１００００波長を超える。
【００６４】
[0080]  幾つかの実施形態において、電力波の弱め合う干渉は、合成波の振幅が、電力波の単一の波の振幅より小さいように、２つ以上の電力波が、位相が異なり且つ合成波に集束する場合に、生じる。例えば、電力波は、「互いを打ち消し」、それによって、送信フィールドにおける或る位置に集中するエネルギ量を減少させる。幾つかの実施形態において、弱め合う干渉は、電力波が集束する送信フィールド内の或る位置で、無視できるエネルギ量又は「ヌル」を生成するために用いられる。幾つかの実施形態において、「ヌル」空間は、強め合う干渉パターンによって形成されたエネルギのポケットに隣接して生成される。幾つかの実施形態において、弱め合う干渉パターンによって生成される「ヌル」空間の最大寸法は、５ｍｍ超、１０ｍｍ超、１５ｍｍ超、２０ｍｍ超、５０ｍｍ超、１００ｍｍ超、５００ｍｍ超、１０００ｍｍ超、２０００ｍｍ超、又は５０００ｍｍ超である。幾つかの実施形態において、特定の送信周波数用に弱め合う干渉パターンによって生成される「ヌル」空間の最大寸法は、半波長を超えるか、１波長を超えるか、５波長を超えるか、１０波長を超えるか、１００波長を超えるか、１０００波長を超えるか、又は１００００波長を超える。
【００６５】
[0081]  幾つかの実施形態において、１つ又は複数の送信機１０２は、２つ以上の別個の送信フィールド（例えば重なる且つ／又は重ならない別個の送信フィールド）を生成する電力波１１６を送信する。幾つかの実施形態において、第１の送信フィールドは、第１の送信機（例えば送信機１０２ａ）の第１のプロセッサ１０４によって管理され、第２の送信フィールドは、第２の送信機（例えば送信機１０２ｂ）の第２のプロセッサ１０４によって管理される。幾つかの実施形態において、２つ以上の別個の送信フィールド（例えば重なる且つ／又は重ならない）は、単一の送信フィールドとして送信機プロセッサ１０４によって管理される。
【００６６】
[0082]  幾つかの実施形態において、通信コンポーネント１１２は、有線及び／又は無線通信接続を経由して、通信信号１１８を受信機１２０に送信する。幾つかの実施形態において、通信コンポーネント１１２は、受信機１２０の三角測量用に用いられる通信信号１１８を生成する。幾つかの実施形態において、通信信号１１８は、電力波１１６を送信するために用いられる１つ又は複数の特性を調整するための情報を送信機１０２と受信機１２０との間で伝えるために用いられる。幾つかの実施形態において、通信信号１１８は、１つ又は複数の受信機１２０に関連するデータトラフィックプロファイル、ステータス、効率、ユーザデータ、電力消費、課金、ジオロケーション、相対的位置に関する情報、及び他のタイプの情報を含む。
【００６７】
[0083]  幾つかの実施形態において、受信機１２０は、送信機（図示せず）を含むか、又は通信信号１１８を送信機１０２の通信コンポーネント１１２に送信するトランシーバの一部である。
【００６８】
[0084]  幾つかの実施形態において、通信コンポーネント１１２（例えば送信機１０２ａの通信コンポーネント１１２）は、受信機１２０及び／又は他の送信機１０２（例えば送信機１０２ｂ−１０２ｎ）と通信するための通信コンポーネントアンテナを含む。幾つかの実施形態において、これらの通信信号１１８は、電力波１１６の送信用に用いられる信号のチャネルから独立した、送信機１０２によって送信された信号の別個のチャネルを表す。
【００６９】
[0085]  幾つかの実施形態において、受信機１２０は、受信機側通信コンポーネントによって生成されたそれぞれの通信信号１１８を通して、様々なタイプのデータを送信機１０２の１つ又は複数と通信するように構成された受信機側通信コンポーネント１４４を含む。データは、受信機１０２及び／若しくは電子装置１２２用の位置インジケータ、装置１２２の電力ステータス、受信機１０２用のステータス情報、電子装置１２２用のステータス情報、電力波１１６に関するステータス情報、並びに／又はエネルギのポケット用のステータス情報を含んでもよい。換言すれば、受信機１０２は、他のタイプの情報を含む他の可能なデータ点の中で、受信機１０２又は装置１２２の現在の位置、受信機１２０によって受信されるエネルギ量、並びに電子装置１２２によって受信される且つ／又は用いられる電力量を識別する情報を含む、システム１００の現在の動作に関するデータを、通信信号１１８を経由して送信機１０２に提供してもよい。
【００７０】
[0086]  幾つかの実施形態において、通信信号１１８内に含まれるデータは、電力波１１６を送信するためにアンテナアレイ１１０によって用いられる１つ又は複数の特性の調整を決定するために、電子装置１２２、受信機１２０、及び／又は送信機１０２によって用いられる。通信信号１１８を用いて、送信機１０２は、例えば、送信フィールド内の受信機１２０を識別するために、電子装置１２２を識別するために、電力波用の安全で有効な波形特性を決定するために、且つ／又はエネルギのポケットの配置を磨くために用いられるデータを通信する。幾つかの実施形態において、受信機１２０は、例えば、受信機１２０が、送信フィールドに入ったか若しくはまさに入ろうとしていることを送信機１０２に警報するためのデータを通信するために、電子装置１２２に関する情報を提供するために、電子装置１２２に対応するユーザ情報を提供するために、受信電力波１１６の有効性を示すために、且つ／又は電力波１１６の送信を調整するように１つ若しくは複数の送信機１０２が用いる更新された特性又は送信パラメータを提供するために、通信信号１１８を用いる。
【００７１】
[0087]  例として、送信機１０２の通信コンポーネント１１２は、ビーコンメッセージ、送信機識別子、電子装置１２２用の装置識別子、ユーザ識別子、電子装置１２２用の充電レベル、送信フィールドにおける受信機１２０の位置、及び／又は送信フィールドにおける電子装置１２２の位置などの様々な情報を含む１つ又は複数のタイプのデータ（例えば認証データ及び／又は送信パラメータ）を通信（例えば送信及び／又は受信）する。
【００７２】
[0088]  幾つかの実施形態において、送信機センサ１１４及び／又は受信機センサ１２８は、電子装置１２２、受信機１２０、送信機１０２、及び／又は送信フィールドの状態を検出及び／又は識別する。幾つかの実施形態において、送信機センサ１１４及び／又は受信機センサ１２８によって生成されたデータは、電力波１０６を送信するために用いられる１つ又は複数の特性に対する適切な調整を決定するために、送信機１０２によって用いられる。送信機１０２によって受信される、送信機センサ１１４及び／又は受信機センサ１２８からのデータは、例えば、生のセンサデータ、及び／又はセンサプロセッサなどのプロセッサ１０４によって処理されたセンサデータを含む。処理されたセンサデータは、例えばセンサデータ出力に基づいた決定を含む。幾つかの実施形態において、受信機１２０及び送信機１０２の外部のセンサから受信されたセンサデータ（熱撮像データ、光学センサからの情報など）もまた用いられる。
【００７３】
[0089]  幾つかの実施形態において、受信機センサ１２８は、方位データ（例えば３軸方位データ）などの生データを提供するジャイロスコープであり、この生データの処理は、方位データを用いて、受信機１２０の位置及び／又は受信機アンテナ１２４の位置を決定することを含んでもよい。
【００７４】
[0090]  幾つかの実施形態において、受信機センサ１２８は、（例えば、熱撮像情報を出力する）１つ又は複数の赤外線センサを含んでもよく、この赤外線センサデータの処理は、熱撮像情報に基づいて、人間（例えば人間の存在を示すこと／又は人間の識別を示すこと）又は他の感応対象を識別することを含む。
【００７５】
[0091]  幾つかの実施形態において、受信機センサ１２８は、受信機１２０及び／又は電子装置１２２の方位を示すジャイロスコープ及び／又は加速度計を含む。一例として、送信機１０２は、受信機センサ１２８から方位情報を受信し、送信機１０２（又はプロセッサ１０４など、そのコンポーネント）は、電子装置１２２が、テーブル上で水平であるか、動いているか、且つ／又は使用中（例えばユーザの頭のすぐ近く）であるかを決定するために、受信された方位情報を用いる。
【００７６】
[0092]  幾つかの実施形態において、受信機センサ１２８は、電子装置１２２（例えば受信機１０２から遠隔の電子装置１２２）のセンサである。幾つかの実施形態において、受信機１２０及び／又は電子装置１２２は、信号（例えば、受信機センサ１２８によって出力されるセンサ信号）を送信機１０２に送信するために通信システムを含む。
【００７７】
[0093]  送信機センサ１１４及び／又は受信機センサ１２８の非限定的な例は、例えば赤外線、焦電、超音波、レーザ、光学、ドップラー、ジャイロ、加速度計、マイクロ波、ミリメートル、ＲＦ定常波センサ、共鳴ＬＣセンサ、容量性センサ、及び／又は誘導性センサを含む。幾つかの実施形態において、送信機センサ１１４及び／又は受信機センサ１２８用の技術は、人間又は他の感応対象の位置などの立体的なセンサデータを取得する２値センサを含む。
【００７８】
[0094]  幾つかの実施形態において、送信機センサ１１４及び／又は受信機センサ１２８は、（例えば、人間と家具などの他の対象とを区別できる）人間の認識用に構成される。人間の認識に対応するセンサによって出力されたセンサデータの例は、体温データ、赤外線距離計データ、運動データ、活動認識データ、シルエット検出及び認識データ、ジェスチャーデータ、心拍数データ、携帯型装置データ、並びに着用可能装置データ（例えば生物測定の読み取り値及び出力、加速度計データ）を含む。
【００７９】
[0095]  幾つかの実施形態において、送信機１０２は、人間被験者用の電磁界（ＥＭＦ）曝露保護標準に関する遵守を保証するために、電力波１１６を送信するために用いられる１つ又は複数の特性を調整する。最大曝露限界は、電力密度限界及び電界限界（磁界限界と同様に）の観点から、米国及び欧州標準によって定義される。これらは、例えば、最大許容曝露量（ＭＰＥ）用に米国連邦通信委員会（ＦＣＣ）によって確立された限界、及び放射線被爆用の欧州規制当局によって確立された限界を含む。ＭＰＥ用にＦＣＣによって確立された限界は、連邦規則集第４７編第１．１３１０で成文化される。マイクロ波範囲における電磁界（ＥＭＦ）周波数用に、電力密度は、曝露の強度を表現するために用いることができる。電力密度は、単位エリア当たりの電力として定義される。例えば、電力密度は、平方メートル当たりのワット（Ｗ／ｍ２）、平方センチメートル当たりのミリワット（ｍＷ／ｃｍ２）、又は平方センチメートル（μＷ／ｃｍ２）当たりのマイクロワットの点から一般に表現することができる。幾つかの実施形態において、送信機センサ１１４及び／又は受信機センサ１２８からの出力は、人間又は他の感応対象が、電力送信領域（例えば送信機１０２の所定の距離、送信機１０２によって生成された電力波、及び／又はエネルギのポケット内の位置）に入ったかどうかを検出するために、送信機１０２によって用いられる。幾つかの実施形態において、人間又は他の感応対象が、電力送信領域に入ったという検出に応じて、送信機１０２は、（例えば電力波送信を中止すること、電力波送信を低減すること、及び／又は電力波の１つ又は複数の特性を調整することによって）１つ又は複数の電力波１１６を調整する。幾つかの実施形態において、人間又は他の感応対象が、電力送信領域に入ったという検出に応じて、送信機１０２は、（例えば、送信機１０２のコンポーネントであるラウドスピーカに、又は送信機１０２から遠隔の警報装置に信号を送信することによって）警報を作動させる。幾つかの実施形態において、人間又は他の感応対象が、電力送信領域に入ったという検出に応じて、送信機１０２は、システムログ又は管理コンピューティング装置にデジタルメッセージを送信する。
【００８０】
[0096]  幾つかの実施形態において、アンテナアレイ１１０は、アンテナアレイを集合的に形成する多数のアンテナ素子（例えば構成可能な「タイル」）を含む。アンテナアレイ１１０は、電力送信信号、例えばＲＦ電力波、超音波電力波、赤外線電力波、及び／又は磁気共鳴電力波を生成する。幾つかの実施形態において、アンテナアレイ１１０の（例えば、送信機１０２ａなどの単一送信機の、且つ／又は送信機１０２ａ、１０２ｂ、．．．、１０２ｎなどの多数の送信機の）アンテナは、定義された位置（例えば受信機１２０の検出された位置に対応する位置）で交差する２つ以上の電力波を送信し、それによって、定義された位置でエネルギのポケット（例えばエネルギの集中）を形成する。
【００８１】
[0097]  幾つかの実施形態において、送信機１０２は、アンテナアレイ１１０の構成アンテナが、相異なるタスク（例えば、以前に検出されなかった受信機１２０の位置を決定すること及び／又は１つ又は複数の受信機１２０に電力波１１６を送信すること）を実行するように、アンテナアレイ１１０のアンテナ素子における第１のサブセットに第１のタスクを割り当て、アンテナアレイ１１０のアンテナ素子における第２のサブセットに第２のタスクを割り当てるなどを行う。一例として、１０のアンテナを備えたアンテナアレイ１１０において、９つのアンテナは、エネルギのポケットを形成する電力波１１６を送信し、１０番目のアンテナは、送信フィールドにおける新しい受信機を識別するために、通信コンポーネント１１２と協力して動作する。別の例において、１０のアンテナ素子を有するアンテナアレイ１１０は、５つのアンテナ素子の２つのグループに分割され、そのそれぞれは、送信フィールドにおける２つの相異なる受信機１２０に電力波１１６を送信する。
【００８２】
[0098]  図２は、幾つかの実施形態による、例示的な無線電力送信システム２００のブロック図である。幾つかの実施形態において、無線電力送信システムは、無線電力受信機２２０（例えば「ＰｗｒＲｘ」）と通信する無線電力送信機２１０（例えば「ＰｗｒＴｘ」）を含む。幾つかの実施形態において、無線電力送信機２１０は、無線電力受信機２２０に電力を供給するために、且つ／又は無線電力受信機２２０のバッテリを充電するために、周波数帯域を介して無線電力信号（例えば「Power」）を送信する。幾つかの実施形態において、無線電力送信機２１０は、無線電力送信機２１０と無線電力受信機２２０との間の無線電力送信を管理するための電力制御データ（例えば「Pwr Control Data」）を含む無線データ信号を無線電力受信機２２０と交換する。幾つかの実施形態において、無線電力信号は、無線電力送信機２１０と無線電力受信機２２０との間の無線データ信号と同じ周波数帯域を用いて送信される。
【００８３】
[0099]  幾つかの実施形態において、無線電力受信機２２０は、図１に関連して論じられたような受信機１２０と同じである。幾つかの実施形態において、無線電力受信機２２０は、送信機２１０から受信された無線電力信号を電力に変換する電力受信機ユニット（例えば図１の整流器１２５及び電力変換器１２６を含む「電力受信機」）を含む。幾つかの実施形態において、無線電力受信機２２０は、受信機２２０で受信された無線電力信号を監視し、受信機２２０は、受信機２２０で受信された無線電力信号の１つ又は複数の特性に関して送信機２１０と通信する、且つ送信機２１０から受信されたコマンドに応答する通信コントローラを更に含む。幾つかの実施形態において、無線電力信号を受信するために用いられる受信機２２０のアンテナは、無線データ信号を送信機２１０と通信するために用いられるアンテナと別個である。代替として、無線電力信号を受信するために用いられる受信機２２０のアンテナは、無線データ信号を送信機２１０と通信するために用いられるアンテナと同じである。
【００８４】
[00100]  幾つかの実施形態において、無線電力送信機２１０は、図１に関連して論じられたような送信機１０２と同じである。幾つかの実施形態において、無線電力送信機２１０は、１つ又は複数の無線電力受信機を同時に支援してもよい。幾つかの実施形態において、無線電力送信機２１０は、或る周波数帯域における送信用の無線電力信号を生成するように、且つ無線電力信号の変調及び電力レベルを制御するように構成された電力コントローラを含む。幾つかの実施形態において、無線電力送信機２１０は、無線電力送信を制御し監視するために、無線電力制御データ（例えば「Pwr Control Data」）を受信機２２０と交換するように無線電力受信機２２０との通信チャネルを確立し維持する通信コントローラを更に含む。例えば、送信機２１０の通信コントローラは、図２に示されているような制御パイプを介して、電力コントローラによって生成された無線電力信号の１つ又は複数の特性を受信することができる。別の例において、通信コントローラは、無線電力受信機２２０からコマンド（例えば受信機２２０で受信される無線電力信号を調整する要求を含む「Pwr Control Data」）を受信し、次に、受信機２２０から受信された要求に従って無線電力信号の１つ又は複数の特性を調整するために、制御パイプを介して電力コントローラに制御コマンドを送ることができる。
【００８５】
[00101]  幾つかの実施形態において、図２に示されているような無線電力送信システムは、専用無線電力送信機２１０（例えば「専用ＰｗｒＴｘ」）を含む専用無線電力送信システムである。何故なら、送信機２１０の通信コントローラが、中間で（例えば制御パイプを通じて）無線電力及びデータ通信を制御し監視するために、送信機２１０と受信機２２０との間の制御チャネルを確立するために用いられるからである。送信機２１０の通信コントローラは、（本明細書の他のところで論じられるような）アプリケーションデータなどの他のタイプのデータを受信も送信もしない。幾つかの実施形態において、無線電力信号を送信するために用いられる送信機２１０のアンテナは、無線データ信号を受信機２２０と通信するために用いられるアンテナとは別個である。代替として、無線電力信号を送信するために用いられる送信機２１０のアンテナは、無線データ信号を受信機２２０と通信するために用いられるアンテナと同じである。
【００８６】
[00102]  図３は、幾つかの実施形態による、例示的な無線電力送信システム３００のブロック図である。幾つかの実施形態において、無線電力送信システム３００は、電力受信機３３０と通信する無線電力送信機３１０を含む。幾つかの実施形態において、無線電力送信システム３００は、統合無線電力送信機３１０（例えば、「統合ＰｗｒＴｘ」）を含む統合無線電力送信システムである。何故なら、送信機３１０が、無線電力信号の送信に加えて、多数の機能を支援するホストシステム３５０（例えばデスクトップコンピュータ）と統合されるからである。図１に示されているような幾つかの実施形態において、受信機３３０は、Bluetooth、Zigbee、Wi-Fiなど、或る周波数帯域のデータチャネルを通じてアプリケーションデータを別の電子装置と交換する電子装置３４０（データ通信装置又はアプリケーション装置とも呼ばれる）と関連付けられる（例えば統合される）。幾つかの実施形態において、アプリケーションデータは、限定するわけではないが、Bluetooth高度オーディオ配信プロファイル（Ａ２ＤＰ）プロトコルを介して、２つの電子装置（例えばBluetooth Low Energy（ＢＬＥ）ヒューマンインターフェース装置（ＨＩＤ））間で送信されるオーディオデータ、ビデオデータ、及び／又はテキストデータを含む。例えば、電子装置は、オーディオデータをホストシステム３５０と交換するBluetooth無線ヘッドセットであり、Bluetooth無線ヘッドセットはまた、Bluetoothヘッドセットを充電し且つ／又はそれに電力を供給するために、無線電力送信機３１０から無線電力信号を受信する無線電力受信機を含む。
【００８７】
[00103]  幾つかの実施形態において、無線電力送信機３１０は、無線電力送信を制御し監視するために、受信機３３０と無線電力制御データ（例えば「Pwr Control Data」）を交換するように無線電力受信機３３０との制御通信チャネルを確立し維持する通信コントローラを含む。幾つかの実施形態において、送信機３１０は、通信コントローラをホストシステム３５０と共有し、通信コントローラは、ホストシステム３５０と電子装置３４０との間のデータチャネルを介して、アプリケーションデータ（例えばオーディオデータ、ビデオデータ、テキストデータ等）を交換するデータチャネル更に確立する。幾つかの実施形態において、アプリケーションデータは、ホストシステム３５０と電子装置３４０との間の特有のアプリケーションである。例えば、アプリケーションデータは、コンピュータとBluetoothヘッドセットとの間のオーディオデータである。幾つかの実施形態において、アプリケーションデータは、無線電力信号及び電力制御データと同じ周波数帯域を介して送信され、干渉、並びに無線充電及び／又は無線データサービスの性能の低減又は拒否に帰着する可能性がある。
【００８８】
[00104]  図４は、幾つかの実施形態による、バッテリ切れの動作状態における例示的な無線電力送信システム４００の概略図である。無線電力送信システム４００は、図１〜３に関連して論じられたそれぞれの無線電力受信機及び無線電力送信機に似ている無線電力受信機４１０及び無線電力送信機４２０を含む。幾つかの実施形態において、無線電力受信機４１０のバッテリ又は無線電力受信機４１０と統合された電子装置のバッテリは、消耗され（例えば無給電、バッテリ切れ）、従って、制御チャネルも通信チャネルも、受信機４１０と送信機４２０との間で利用可能ではない。
【００８９】
[00105]  幾つかの実施形態において、送信機４２０は、対象検出手順を用いて、近くの受信機４１０を含む電子装置を検出する。例えば、受信機４１０を含む電子装置は、送信機４２０上に直接配置されるか、又は送信機４２０からの所定の距離内に配置される。幾つかの実施形態において、送信機４２０は、送信機４２０における反射電力の測定値を用いて、受信機４１０が、送信機４２０の近くにあることを検出し、且つ受信機４１０が、送信機４２０の所定の距離内（例えば、送信機４２０の表面から１〜２インチ（２．５４〜５．０８ｃｍ）内）に配置されたと決定する。受信機４１０を検出すると、送信機４２０は、デフォルト特性を備えた無線電力信号（例えば「Power」）を受信機４１０に送信する。幾つかの実施形態において、送信機４２０は、受信機４１０と送信機４２０との間の通信チャネルを再開するための十分な期間にわたって、無線電力信号を受信機４１０に送信する。幾つかの実施形態において、送信機４２０は、受信機４１０が、無線電力制御信号（例えば電力制御データ、受信機４１０で受信された無線電力信号の１つ若しくは複数の特性、及び／又は無線電力信号の特性を調整する要求）を送信機４２０に提供するまで、無線電力信号を受信機４１０に送信する。
【００９０】
[00106]  幾つかの実施形態において、制御チャネル又は通信チャネルが、受信機４１０と送信機４２０との間で利用可能になった場合に、送信機４２０は、図５に関連して論じられたような活性動作状態に遷移する。バッテリ切れの動作状態において、無線電力信号の送信とデータ信号（例えば電力制御データ、トラフィックプロファイルデータ、及び／又はアプリケーションデータ）の送信との間の干渉は、送信機４２０が、（図３に示されたように）ホストシステム内の統合送信機である場合に、回避され得る。
【００９１】
[00107]  図５は、幾つかの実施形態による、アプリケーションデータ送信のない活性動作状態における例示的な無線電力送信システム５００の概略図である。この活性状態において、送信機５１０は、システム５００内のどんなアプリケーションデータ通信にも気付かない。アプリケーションデータチャネル用の共存緩和は存在しない。代わりに、電力制御データを送信するための電力制御チャネルが、送信機５２０と受信機５１０との間に存在するので、共存緩和は、この状態において、同じ周波数帯域を介した無線電力信号及び電力制御データの送信間の調停に主として集中される。
【００９２】
[00108]  幾つかの実施形態において、送信機５２０は、受信機５１０を検出し、且つ受信機５１０への接続を確立する。ひとたび制御チャネルが、送信機５２０と受信機５１０との間で確立されると、電力制御メッセージ（例えば電力制御データ）が、送信機５２０から受信機５１０に送信される無線電力を設定し最適化するために、制御チャネルを介して交換される。電力送信が確立され最適化された後で、電力制御は、イネーブルにされ、送信機５２０は、無線電力信号を受信機５１０に送信する。幾つかの実施形態において、受信機５１０は、受信機５１０で受信された無線電力信号を積極的に監視し、且つ受信機５１０で受信された無線電力信号の特性に関して、制御チャネルを通して送信機５２０と通信する。
【００９３】
[00109]  幾つかの実施形態において、同じ周波数帯域を用いる無線電力信号及び電力制御データの送信間の（例えば電力及び／又はデータ信号をいつ送信するかを決定するための）共存調停プロセス中に、無線電力信号の送信は、電力制御データが、電力制御チャネルを用いて送信機５２０と受信機５１０との間で送信される場合に、一時停止される。幾つかの実施形態において、この共存調停は、小量の電力制御データが、送信機５２０と受信機５２０との間で送信される必要がある場合に、起こり得る。例えば、送信機５２０による無線充電の効率が、劇的に低下しているか、又は所定の閾値未満に落ちたことを受信機５１０が検出した場合に、受信機５１０は、無線電力信号の特性を調整するコマンドを含む電力制御メッセージを送信機５２０に送ってもよい。システム５００は、受信機５１０及び送信機５２０が、無線電力信号送信を調整し最適化するために、電力制御データを更に交換する場合に、無線電力信号送信を一時停止してもよい。ひとたび最適化プロセスが完了すると、無線電力信号の送信は、再開されてもよい。
【００９４】
[00110]  図６〜９は、幾つかの実施形態による、無線電力送信及びアプリケーションデータ送信の両方を含むそれぞれの活性動作状態における例示的な無線電力送信システムの概略図である。幾つかの実施形態において、送信機は、トラフィック（例えば、無線電力信号、電力制御データ、及びアプリケーションデータの送信を含む）の多数のチャネルに気付いている。幾つかの実施形態において、送信機は、アプリケーションデータ送信と関係する情報と共に無線電力送信と関係する情報を集め、且つ無線電力送信とアプリケーションデータ送信との間の干渉を緩和するために、共存技法を適用する。
【００９５】
[00111]  図６における且つ図３に関連する無線電力送信システム６００に示されているような幾つかの実施形態において、送信機６２０（例えば「ＰｗｒＴｘ」）は、電力制御データ及びアプリケーションデータを受信機６１０（例えば「ＰｗｒＲｘ」）又は受信機６１０に関連する電子装置に送信するために、同じ通信コントローラを用いる。幾つかの実施形態において、送信機６２０は、ホストシステム内の統合送信機６２０からのトラフィックプロファイルコマンドと同様に、送信機６２０の通信コントローラからのハードウェア（ＨＷ）信号に基づいたデータトラフィックプロファイルを取得する。幾つかの実施形態において、データトラフィックは、送信機６２０の通信コントローラのタイマーに同期し、従って同期技法は、要求されない。
【００９６】
[00112]  図７における且つ更に図３に関連する無線電力送信システム７００に示されているような幾つかの実施形態において、アプリケーションデータトラフィックは、送信機７２０の通信コントローラを介して、電子装置７３０（例えば「ＣｏｍＤｅｖ」）と統合送信機７２０（例えば「ＰｗｒＴｘ」）との間でルーティングされる。幾つかの実施形態において、通信コントローラはまた、電力制御データを管理し送信するために用いられる。幾つかの実施形態において、送信機７２０は、ホストシステム（例えば図３のホストシステム３５０）内の統合送信機７２０からのトラフィックプロファイルコマンドと同様に、送信機７２０の通信コントローラからのハードウェア（ＨＷ）信号に基づいたデータトラフィックプロファイルを取得する。幾つかの実施形態において、送信機７２０は、アプリケーションを適合させるために、統合送信機７２０に関連するホストシステム（例えば図３のホストシステム３５０）から（例えばアプリケーションデータ用の）トラフィックプロファイルコマンドを更に取得する。幾つかの実施形態において、電子装置７３０間のデータトラフィックタイミングは、送信機７２０の通信コントローラのタイマーと同期していない可能性があり、従って同期技法が、適用される必要があり得る。
【００９７】
[00113]  図８における且つ更に図３に関連する無線電力送信システム８００に示されているような幾つかの実施形態において、電子装置８３０（例えば「ＣｏｍＤｅｖ」）は、無線電力受信機８１０（例えば「ＰｗｒＲｘ」）と関連付けられる。例えば、電子装置８３０は、無線電力受信機８１０を含むBluetoothヘッドセットである。幾つかの実施形態において、アプリケーションデータトラフィックは、無線電力送信機８２０（例えば「ＰｗｒＴｘ」）の通信コントローラを通過せず、従って送信機８２０は、図６〜７に関連して論じられたようなトラフィックプロファイルコマンドを受信しない。幾つかの実施形態において、送信機８２０は、受信機８１０からトラフィックプロファイルを取得し、送信機８２０は、電子装置８３０と、（例えば電子装置８３０と結合された）受信機８１０との間のトラフィックプロファイルを推測することができる。幾つかの実施形態において、受信機８１０は、制御チャネル（例えば「Ctrl Channel」）を通じてトラフィックプロファイルコマンドを送信機８２０に送る。幾つかの実施形態において、受信機８１０上のソフトウェアアプリケーションはまた、制御チャネルを通じて追加トラフィックプロファイルコマンドを送信機８２０に送ってもよい。幾つかの実施形態において、データトラフィックは、送信機８２０の通信コントローラのタイマーと同期せず、従って同期技法が、適用される必要があり得る。
【００９８】
[00114]  図９における且つ更に図３に関連する無線電力送信システム９００に示されているような幾つかの実施形態において、無線電力送信機９２０（例えば「ＰｗｒＴｘ」）は、上記の図６〜８に関連して論じられたのと同様のプロセスにおいてトラフィックプロファイル情報を取得する。幾つかの実施形態において、無線電力送信システム９００は、図９に示されているように、無線電力受信機９１０（例えば「ＰｗｒＲｘ」）に結合された電子装置９３０（例えば「ＣｏｍＤｅｖ９３０」）、及び送信機９２０に結合された電子装置９４０（例えば「ＣｏｍＤｅｖ９４０」）などの多数の電子装置を含む。幾つかの実施形態において、電子装置９３０は、受信機９１０とアプリケーションデータを交換し、電子装置９４０は、送信機９２０とアプリケーションデータを交換する。電子装置９３０のアプリケーションデータは、電子装置９４０のアプリケーションデータとは別個である。幾つかの実施形態において、送信機９２０は、無線電力送信システム９００内のトラフィックプロファイル（例えば、無線電力信号及び無線データ信号を含む）の相異なるストリームを集め、且つ様々なデータトラフィックプロファイルの共存用の、後で本開示にて論じられるように調停機構を適用する。幾つかの実施形態において、同じ周波数帯域を用いる共有媒体上の様々なデータストリームの負荷サイズゆえに、送信機９２０は、負荷の平衡を保つために、適宜に、その優先度又は電力レベルを低下させることを選択してもよい。
【００９９】
[00115]  図１０Ａは、幾つかの実施形態による、単一通信コントローラ１０１０を含む例示的な無線電力送信機１０００の概略図である。図１０Ｂは、幾つかの実施形態による複数の通信コントローラ（例えば通信コントローラ１０６０及び１０７０）を含む例示的な無線電力送信機１０５０の概略図である。幾つかの実施形態において、トラフィックプロファイルは、アプリケーションデータトラフィック（例えばトラフィックプロファイル若しくはデータトラフィックプロファイル）又は電力送信（例えば電力プロファイル）のストリームの決定論的なタイミングパターンを定義するパラメータセットを含む。幾つかの実施形態において、無線電力信号送信と、電力制御データと、アプリケーションデータ通信との間の干渉をうまく緩和するために、送信機は、調停決定を決めるために、同時データ送信のトラフィックプロファイルを取得する。幾つかの実施形態において、送信機は、ハードウェア（ＨＷ）パケットタイミング調停（ＰＴＡ）信号からトラフィックプロファイルを取得する。図１０Ａに示されているような一例において、送信機１０００の通信コントローラ１０１０は、ＨＷ  ＰＴＡ信号を調停信号（例えばＩＥＥＥ８０２．２）として電力コントローラ１０２０に供給する。図１０Ｂに示されているような別の例において、通信コントローラ１０６０及び１０７０は、調停信号（例えばＩＥＥＥ８０２．２）を電力コントローラ１０８０に供給する。幾つかの実施形態において、通信コントローラは、電力送信を直接変調するために用いられる、高優先度無線電力信号「ＰＲＩ」を制御するための電力制御データ、及び低優先度無線電力信号「ＡＣＴ」を制御するための電力制御データなどの多数の共存制御信号を通して、追加のリアルタイムトラフィック活動を電力コントローラに更に提供する。
【０１００】
[00116]  幾つかの実施形態において、電力プロファイルプロトコルは、同期の維持と同様に、通信の各ストリーム（例えばアプリケーションデータストリーム、電力制御データストリーム、又は無線電力信号）用のトラフィックプロファイルを備えた、送信機を構成するためのコマンド及び手順のセットを含む。幾つかの実施形態において、対応するトラフィックプロファイルが、電力コントローラに送られ得、電力コントローラが、トラフィックパターンを正確にモデル化できるように、幾つかのトラフィックパターンは、決定論的且つ周期的である。
【０１０１】
[00117]  図１１は、幾つかの実施形態による、例示的なトラフィックプロファイルの概略図である。幾つかの実施形態において、トラフィックプロファイルは、少なくとも次の情報を提供する。
●  期間−データトラフィック送信のフレーム間の期間
●  窓−データトラフィックが存在すると予想されるフレームのサイズ
●  オフセット−電力コントローラクロックタイミングからのタイミング差又は電力コントローラのタイミングからの特定の時点
●  優先度−他のストリームに対するこのトラフィックストリームの相対的優先度
●  クロック源−どのクロックタイミング（例えば電力コントローラタイミング、又はタイミングが電力コントローラ対して移動し得る外部装置）が用いられるか示す。
【０１０２】
[00118]  幾つかの実施形態において、電力プロファイル情報は、ホストシステム（「ホスト」）、通信コントローラ、又は無線電力受信機（図示せず）によって提供することができる。幾つかの実施形態において、電力プロファイルプロトコルは、送信機と直接通信する又は間接的に通信する相異なる装置から取得されてもよい。例えば、電力プロファイルプロトコルは、受信機と結合された電子装置から取得されてもよく、従って、コマンドは、電子装置から送られ、且つ受信機を通して送信機に転送されてもよい。
【０１０３】
[00119]  幾つかの実施形態において、トラフィックタイミング情報は、共通クロックに対して同期され、トラフィックプロファイルは、このクロックに対して再マッピングされる。幾つかの実施形態において、トラフィックタイミング同期は、同期手順及び／又はクロックドリフト補償手順を用いて実行される。
【０１０４】
[00120]  図１２は、幾つかの実施形態による、トラフィックプロファイル情報及びハードウェア（ＨＷ）共存信号に基づいた調停の概略図である。幾つかの実施形態において、調停は、無線電力送信機が、データトラフィック（例えば電力制御データ及び／又はアプリケーションデータ）との競合を回避するために、自らの無線電力送信を変調する場合である。送信機は、サービス品質（ＱｏＳ）ポリシーを維持するために、ＨＷ共存信号と組み合わせてトラフィックプロファイル情報を利用する。
【０１０５】
[00121]  幾つかの実施形態において、トラフィックプロファイルプロトコルは、送信機上でトラフィックパターンをローカルに生成するために十分な情報を提供する。幾つかの実施形態において、ＨＷ共存信号は、それらが、他のトラフィックプロファイルと一緒に分類され、且つ単一グループプロファイル（即ち論理ＯＲ）に結合され得るように、トラフィックプロファイルのハードウェア等価物として扱われる。例えば、図１２に示されているように、高優先度を備えた無線電力信号は、単一グループプロファイル「ＯＲ＿ＰＲＩ」を生成するために、ＨＷ共存信号（例えば高優先度無線電力信号「ＰＲＩ」を制御するための電力制御データ）と組み合わせることができる。別の例において、低優先度を備えた無線電力信号は、信号グループプロファイル「ＯＲ＿ＡＣＴ」を生成するために、ＨＷ共存信号（例えば低優先度無線電力信号「ＡＣＴ」を制御するための電力制御データ）と組み合わせることができる。
【０１０６】
[00122]  図１３は、幾つかの実施形態による、例示的な充電率プロファイルアルゴリズムを示す概略図である。幾つかの実施形態において、最小充電率が維持されることを保証するために、送信機は、調停信号（例えば「ＣＨＧ＿ＥＮＡＢＬＥ」）に基づいて、充電率プロファイルセットを生成することができる。幾つかの実施形態において、最小充電率用のプロファイルを生成するための例示的なアルゴリズムは、次のものを含む。
１）内部カウンタ（例えば「ＣＨＧ＿ＣＮＴ」）は、送信機が、電力を送信していない（例えば「ＣＨＧ＿ＥＮＡＢＬＥ＝＝０」）場合に、構成可能な最大値（例えば「ＣＮＴ＿ＭＡＸ」）までインクリメントし（ＣＨＧ＿ＣＮＴ＝ＣＨＧ＿ＣＮＴ＋１）、且つ送信機が電力を送信している（例えば「ＣＨＧ＿ＥＮＡＢＬＥ＝＝１」）場合に、ゼロまでデクリメントする（例えばＣＨＧ＿ＣＮＴ＝ＣＨＧ＿ＣＮＴ−１）。
２）次に、信号ＣＨＧ＿ＰＲＩ（例えば高優先度無線電力信号を制御するための電力制御信号）、及び信号ＣＨＧ＿ＡＣＴ（例えば低優先度無線電力信号を制御するための電力制御信号）は、ＣＨＧ＿ＣＮＴ及びその閾値に基づいて生成される。
ａ）カウンタ値（例えば「ＣＨＧ＿ＣＮＴ」）＞＝ＣＨＧ＿ＰＲＩ用の高閾値（例えば「ＰＲＩ＿ＴＨＲＥＳＨ＿ＨＩＧＨ」）である場合に、充電ＣＨＧ＿ＰＲＩは、カウンタ値が、ＣＨＧ＿ＰＲＩ用の低閾値未満（例えば「ＣＨＧ＿ＰＲＩ＝１及びＰＲＩ＿ＴＨＲＥＳＨ＿ＬＯＷ＞＝ＣＨＧ＿ＣＮＴ」）に落ちるまでアサートされ（例えば「ＣＨＧ＿ＰＲＩ＝１」）、次に、ＣＨＧ＿ＰＲＩ＝０で一時停止する。
ｂ）カウンタ値（例えば「ＣＨＧ＿ＣＮＴ」）＞＝ＣＨＧ＿ＡＣＴ用の高閾値（例えば「ＡＣＴ＿ＴＨＲＥＳＨ＿ＨＩＧＨ」）である場合に、充電ＣＨＧ＿ＡＣＴは、カウンタ値が、ＣＨＧ＿ＡＣＴ用の低閾値未満（例えば「ＣＨＧ＿ＡＣＴ＝１及びＡＣＴ＿ＴＨＲＥＳＨ＿ＬＯＷ＞＝ＣＨＧ＿ＣＮＴ」）に落ちるまでアサートされ（例えば「ＣＨＧ＿ＡＣＴ＝１」）、次に、ＣＨＧ＿ＡＣＴ＝０で一時停止する。
ｃ）高閾値は、ヒステリシス用の低閾値より大きい必要がある。例えば、ＰＲＩ＿ＴＨＲＥＳＨ＿ＨＩＧＨ＞ＰＲＩ＿ＴＨＲＥＳＨ＿ＬＯＷ、及びＡＣＴ＿ＴＨＲＥＳＨ＿ＨＩＧＨ＞ＡＣＴ＿ＴＨＲＥＳＨ＿ＬＯＷ。
【０１０７】
[00123]  図１４は、幾つかの実施形態による、例示的な組み合わされた充電プロファイルを示す概略図である。幾つかの実施形態において、受信機によって検出される充電プロファイル（例えば高優先度無線電力信号「ＣＨＧ＿ＰＲＩ」用の充電プロファイル及び／又は低優先度無線電力信号「ＣＨＧ＿ＡＣＴ」）用の充電プロファイルはまた、フィードバック用の受信機電力サンプリング中に電力送信を保証するために、送信調停に含むことができる。これらの充電プロファイルは、無線電力信号が送信され、受信機で受信された後で、充電プロファイルが取得されることを除いて、無線電力信号とデータトラフィックとの間の競合を解決するために用いられる電力プロファイルに似ている。次に、これらの充電プロファイル信号は、充電率プロファイルアルゴリズムと組み合わされる。例えば、（例えば受信機によって検出される）ＣＨＧ＿ＰＲＩは、組み合わされたプロファイル「ＯＲ＿ＣＨＧ＿ＰＲＩ」を取得するために、「ＯＲ」論理下で、高優先度無線電力信号用の充電プロファイル（例えば「高優先度における充電プロファイル」（例えば送信機の電力コントローラから取得されてもよい）と組み合わされる。別の例において、（例えば受信機によって検出される）ＣＨＧ＿ＡＣＴは、組み合わされたプロファイル「ＯＲ＿ＣＨＧ＿ＡＣＴ」を取得するために、「ＯＲ」論理下で、低優先度無線電力信号用の充電プロファイル（例えば「低優先度用の充電プロファイル」）（例えば、送信機の電力コントローラから取得されてもよい）と組み合わされる。
【０１０８】
[00124]  図１５は、幾つかの実施形態による、例示的な優先度調停アルゴリズムを示す概略図である。幾つかの実施形態において、全ての信号（例えば、ＯＲ＿ＣＨＧ＿ＰＲＩ、ＯＲ＿ＣＨＧ＿ＡＣＴ、ＯＲ＿ＰＲＩ、及びＯＲ＿ＡＣＴを含む）は、次に、図１５に示されているような優先度調停信号ＣＨＧ＿ＥＮＡＢＬＥを生成するために計算され得る。幾つかの実施形態において、ＣＨＧ＿ＥＮＡＢＬＥは、（ＯＲ＿ＰＲＩ若しくはＯＲ＿ＡＣＴ）’か、（ＯＲ＿ＣＨＧ＿ＡＣＴ及びＯＲ＿ＰＲＩ’）か、又は（ＯＲ＿ＣＨＧ＿ＰＲＩ）の場合にアサートされる。幾つかの実施形態において、無線電力送信が、ＣＨＧ＿ＥＮＡＢＬＥがアサートされる場合に、共有媒体を取る。そうでなければ、データ通信が、共有媒体を取る。図１６は、幾つかの実施形態による、優先度調停アルゴリズムを適用した結果として、優先度調停波形を示す。
【０１０９】
[00125]  図１７は、幾つかの実施形態による、図１２、１４及び１５に示されているような調停サブシステムを含む例示的な調停システムを示す概略図である。幾つかの実施形態において、図１７に示されているような調停システムは、図１４で論じられたような組み合わされた充電プロファイルと、図１２で論じられたような組み合わされた電力プロファイルと、図１５で論じられたような優先度調停サブシステムと、を含む。幾つかの実施形態において、図１７におけるダイアグラムは、ハードウェア信号ＰＲＩ及びＡＣＴが、電力及び充電プロファイルから生成された内部信号、並びに最終出力ＣＨＧ＿ＥＮＡＢＬＥに接続されるポイントを示す。
【０１１０】
[00126]  図１８は、幾つかの実施形態による、高〜低電力レベル緩和プロセスを示す例示的な無線電力送信システムの概略図である。幾つかの実施形態において、無線電力信号が、図１８の左部分に示されているような高電力レベルで送信機から受信機に送信される場合に、かかる無線電力送信は、より大きな破線楕円によって示されているように、より大きなエリアに且つ大きな程度でデータ通信と干渉し得る。例えば、無線電力送信は、電子装置「ＣｏｍＤｅｖ」のアプリケーションデータと干渉し、且つ高ビット誤りに帰着し得る。幾つかの実施形態において、無線電力信号が、図１８の右部分に示されているように、低電力レベルで送信機から受信機に送信される場合に、かかる無線電力送信は、より小さな破線楕円によって示されているように、より小さなエリアに且つより小さい程度でデータ通信と干渉し得る。例えば、無線電力送信は、電子装置「ＣｏｍＤｅｖ」のアプリケーションデータと干渉をしない可能性があるか、又は電子装置のアプリケーションデータとそれほど干渉せず、低ビット誤りに帰着する可能性がある。
【０１１１】
[00127]  幾つかの実施形態において、無線電力送信機（例えば「ＰｗｒＴｘ」）は、近くの他の電子装置（例えば「ＣｏｍＤｅｖ」）に対するその干渉エリアを低減するために（図１８において左から右に縮んでいる破線楕円によって示されているように）、電力送信中にそのピーク電力レベルを低下させてもよい。幾つかの実施形態において、これは、ＣｏｍＤｅｖにおける無線電力送信とアプリケーションデータ通信との間の緩和された干渉（例えばビット誤り率を改善する）と交換に、無線電力受信機の充電率を効果的に引き下げる可能性がある。
【０１１２】
[00128]  幾つかの実施形態において、送信機は、無線電力送信負荷（例えば電力プロファイルの数及び負荷の活動）並びに統計（例えばビット誤り率、パケット誤り率）の自らの評価に基づいて、無線電力レベルを下げるかどうか、いつ無線電力レベルを下げるか、及び無線電力送信レベルをどれほど下げるかを決定する。幾つかの実施形態において、送信機は、無線電力送信とデータ通信との間のバランスを最適化するために、電力制御及び調停の組み合わせを用いてもよい。
【０１１３】
[00129]  図１９Ａは、幾つかの実施形態による、無線電力送信の方法１９００を示す流れ図である。方法１９００の動作（例えばステップ）は、無線電力信号を送信するように構成された１つ又は複数のアンテナ（例えば図１のアンテナアレイ１１０）を有する無線電力送信装置（例えば「無線電力送信機」、「送信機」とも呼ばれる図１の送信機１０２）と、１つ又は複数のプロセッサ（図１のプロセッサ１０４）と、無線データトランシーバ（例えば図１の通信コンポーネント１１２）と、によって実行されてもよい。幾つかの実施形態において、図１９Ａに示されている動作の少なくとも幾つかは、コンピュータメモリ又はコンピュータ可読記憶媒体（例えば図１の送信機１０２のメモリ１０４）に格納された命令に対応する。
【０１１４】
[00130]  幾つかの実施形態において、無線電力送信装置は、１つ又は複数のアンテナと同じハウジングに、コントローラ（１つ又は複数のプロセッサを備えた）及び無線データトランシーバを含む。幾つかの実施形態において、コントローラ及び無線データ通信コンポーネントは、１つ又は複数のアンテナを含むハウジングとは別のハウジングにあってもよい。幾つかの実施形態において、無線電力送信装置の他のコンポーネントと同じハウジングにコントローラ及び無線データトランシーバを含む代わりに、コントローラ及び／又は無線データトランシーバは、無線電力送信装置と通信する、且つ無線電力送信装置の動作を制御するように構成される別個のホスト装置に含むことができる。
【０１１５】
[00131]  無線電力送信機は、無線電力受信装置（例えば「無線電力受信機」、「受信機」とも呼ばれる図１受信機１２０）が、無線電力送信装置の近くに位置することを検出する（１９０２）。幾つかの実施形態において、無線電力送信装置は、充電パッドであり、無線電力送信装置は、無線電力受信機（例えばBluetoothヘッドセット又は携帯電話）が充電パッドに配置されていることを検出する。
【０１１６】
[00132]  無線電力受信装置が、無線電力送信装置の近くに位置することを検出した後で、無線電力送信装置は、無線電力受信装置に関連するデータトラフィックプロファイルを確立する（１９０４）。幾つかの実施形態において、データトラフィックプロファイルは、無線データトランシーバを用いて、無線電力受信装置と無線電力送信装置との間で所定の周波数帯域を通じて交換される（又は活発に交換されている）データ信号の識別を含む。幾つかの実施形態において、データトラフィックプロファイルは、相異なる装置間で交換されることになるデータ信号を表すために用いられるデータ構造である。幾つかの実施形態において、１つを超えるデータトラフィックプロファイルが生成される。
【０１１７】
[00133]  無線電力送信装置は、データトラフィックプロファイルに基づき、所定の周波数帯域を通じて、無線電力信号を無線電力受信装置に送信する時間窓を１つ又は複数のプロセッサによって更に決定する（１９０６）。幾つかの実施形態において、無線電力送信機は、図１２、１４〜１５及び１７に関連して論じられたような電力信号をいつ送信するかを識別する組み合わされたプロファイルを構築する。
【０１１８】
[00134]  決定された時間窓において、無線電力送信機は、所定の周波数帯域を通じて、１つ又は複数のアンテナによって無線電力信号を無線電力受信装置に送信する（１９０８）。
【０１１９】
[00135]  幾つかの実施形態において、交換されるデータ信号の識別は、各それぞれのデータ信号用のそれぞれのデータタイプ（例えばオーディオデータ、ビデオデータ、テキストデータ等）を識別する情報と、各それぞれのデータ信号が交換されることになる時点と、を含む。
【０１２０】
[00136]  幾つかの実施形態において、データトラフィックプロファイルを確立することは、データ信号の各々のためのそれぞれのデータタイプの各々に基づいて、無線電力送信機によってデータ信号を分類することを含む。幾つかの実施形態において、無線電力送信機は、次に、データ信号のそれぞれのためにそれぞれの優先度レベルを決定する。例えば、ビデオアプリケーションが、無線電力受信機と結合された電子装置上を走行している場合に、ビデオデータは、より高い優先度を与えられ、テキストデータは、より低い優先度を有する。別の例において、データ受信が制限される場合に、テキストデータは、より高い優先度を与えられてもよく、一方でビデオデータ及びオーディオデータは、より低い優先事項を与えられる。データタイプ、及びそれぞれのデータタイプに関連する確立された優先度レベルは、データトラフィックプロファイルを確立するために用いられる。
【０１２１】
[00137]  幾つかの実施形態において、無線電力信号を第１の無線電力受信装置に送信する時間窓は、高優先度レベルを備えたデータ信号が交換されることにならない時間窓である。
【０１２２】
[00138]  幾つかの実施形態において、それぞれの時間窓中に、且つ高優先度レベルを備えたデータ信号が、それぞれの時間窓中に交換されることになるという決定に従って、無線電力信号を送信している間に、無線電力送信機は、無線電力受信装置への無線電力信号の送信を一時停止する。
【０１２３】
[00139]  幾つかの実施形態において、無線電力受信装置の充電レベル（現在のバッテリレベル又は現在の充電率）が、充電レベル閾値未満であるという決定に従って、無線電力送信機は、無線電力受信装置への無線電力信号の送信を再開する。幾つかの例において、優先度データが失われた場合に（例えば、ビット誤りが高い）、無線電力送信機は、無線電力充電の送信がアイドル状態である場合に、優先度データを再送する。幾つかの実施形態において、無線電力送信機は、無線電力受信機の充電レベルが低すぎる（例えば、所定の閾値より低い）ので、（高優先度データ用でさえ）データ送信を中断することを選択する。幾つかの実施形態において、無線電力送信機は、次に、送信されないか又は不完全にしか送信されないデータ信号（即ち情報の損失が多過ぎる）など、データ送信が、否定的な影響を受けたかどうかを監視する。幾つかの実施形態において、複数の無線電力信号を無線電力受信装置に送信している間に、高優先度レベルに関連するデータ信号セットが失われたという決定に従って、無線電力送信機は、次の電力送信アイドル期間中に、無線電力受信装置へのデータ信号セットの送信をスケジューリングする。
【０１２４】
[00140]  幾つかの実施形態において、無線電力信号の送信の再開と共に、無線電力送信機は、データ信号の受信が中断され得るという通知を無線電力受信装置のユーザに提供する。例えば、ユーザは、無線充電の再開が、ユーザのデータトラフィック、例えばユーザが対話しているオーディオデータ又はビデオデータを中断することを通知される。幾つかの実施形態において、高優先度を備えたデータ信号が、送信に関して未完であり、且つ無線充電の再開が、優先データトラフィックを一時停止するという決定に従って、無線電力送信機は、データ信号の送信の一時停止をユーザに知らせる通知を更に提供する。幾つかの実施形態において、ユーザは、データ送信を後で、例えば１０分で再開するための時刻を選ぶことを選択してもよい。幾つかの実施形態において、システムは、データ送信を維持しながら最小の充電率を維持するために、交互的な充電及びデータ送信を実施してもよい。
【０１２５】
[00141]  幾つかの実施形態において、無線電力受信機が、長過ぎる間充電され（例えば、所定の期間より長く）、且つデータが、送信されるのを並んで待っていると無線電力送信機が判定した場合に、無線電力送信機は、無線充電を一時停止し、待ち行列におけるデータを送信することを選択してもよい。例えば、無線電力受信機が、長過ぎる間充電されたと無線電力送信機が判定した場合に、送信機は、バッテリ状態を問い合わせる。バッテリ状態が、閾値、例えばフル充電のバッテリ状態の５０％（又は幾らかより多いか若しくは少ないパーセンテージ）より高い場合に、無線充電は、データを交換するために休止される。幾つかの実施形態において、より高い優先度を備えたデータは、最初に送信され、より低い優先度を備えたデータは、高優先度データ送信が完了した後で送信される。
【０１２６】
[00142]  幾つかの実施形態において、無線電力信号の送信の再開は、データ信号が、無線電力受信装置と別の装置との間で交換されている間に、無線電力信号を送信することを含む。幾つかの実施形態において、無線電力送信機は、データ信号との干渉を最小化するために、無線電力信号用の少なくとも１つの送信特性を調整する。幾つかの実施形態において、調整は、データ信号の交換が、閾値誤り率を超える誤り率（例えば、ビット誤り率が高過ぎて、データが、もはや確実には交換されていないことを示す）を有するという判定に従って、無線電力送信機によって実行される。幾つかの実施形態において、調整は、誤り率が、閾値誤り率未満に下がるまで、無線電力送信機によって実行される。
【０１２７】
[00143]  幾つかの実施形態において、無線電力送信機は、無線電力送信装置と無線電力受信装置との間で交換されるデータ信号のそれぞれの優先度レベルに基づいて、無線電力信号用の少なくとも１つの送信特性を調整する（例えば、少なくとも１つの送信特性の値を調整する）。幾つかの実施形態において、少なくとも１つの送信特性は、無線電力信号の送信に用いられる振幅などの電力レベルである。例えば、高電力レベルは、低優先度データを送信する場合に選択され、低電力レベルは、高優先度データを送信する場合に選択される。
【０１２８】
[00144]  幾つかの実施形態において、無線電力受信装置が、無線電力送信装置の近くにあることを検出することは、無線電力受信装置が、無線電力送信装置の所定の距離内（例えば、無線電力送信装置の表面から１〜２インチ（２．５４〜５．０８ｃｍ）内）に配置されたことを、無線電力受信装置における反射電力の測定値を用いて検出することを含む。幾つかの実施形態において、無線電力受信装置が、電力が切れた場合に、無線電力送信機は、２０１８年４月２日出願の「受信機に送出される無線電力を最大限にするために、近距離充電パッドのアンテナゾーンを選択的に活性化する方法（Methods of Selectively Activating Antenna Zones of a Near-Field Charging Pad to Maximize Wireless Power Delivered to a Receiver）」なる名称の米国出願第１５／９４３，５５９号に開示される方法を用いて、無線電力送信装置に配置されているバッテリ切れ装置を検出してもよく、その出願は、その全体において参照によって本明細書で援用される。
【０１２９】
[00145]  幾つかの実施形態において、無線電力受信装置が、無線電力送信装置の所定の距離内に配置されたという検出に応じて、且つデータトラフィックプロファイルを確立する前に、無線電力送信機は、無線電力受信装置が、無線電力制御信号を無線電力送信装置に提供するまで、１つ又は複数のアンテナを介して、デフォルト特性を備えた無線電力信号を無線電力受信装置に送信する。幾つかの実施形態において、無線電力受信装置の電力は、無線電力送信装置との通信を開始するための十分な電力を有するために、少なくとも部分的に回復される。
【０１３０】
[00146]  幾つかの実施形態において、無線電力送信装置は、送信特性用に用いられるデフォルト値とは異なる送信特性用に用いられる特定の値（例えば振幅、周波数、位相等のための値など、或る波形特性用に用いられる値）を決定するために無線電力制御信号を用い、送信特性用のそれらの特定の値は、次に、無線電力信号を無線電力受信装置に送信するために用いられる。幾つかの実施形態において、無線電力送信装置はまた、特定の値を操作することによって、無線電力信号の送信を最適化する。幾つかの実施形態において、確立されたデータ通信トラフィックプロファイルは、無線電力送信装置と無線電力受信装置との間で交換される無線電力制御信号のトラフィックプロファイルを含む。
【０１３１】
[00147]  幾つかの実施形態において、データトラフィックプロファイルに含まれるデータ信号の識別は、無線電力受信装置と無線電力送信装置との間で交換される無線電力制御信号の識別を含む。幾つかの実施形態において、無線電力送信装置は、無線電力信号を無線電力受信装置に送信するために用いる特定の特性を決定するために、無線電力制御信号を用いる。
【０１３２】
[00148]  幾つかの実施形態において、データトラフィックプロファイルに含まれるデータ信号の識別は、無線電力受信装置と無線電力送信装置との間で交換される特定用途向けデータ信号の識別を更に含む。幾つかの実施形態において、特定用途向けデータ信号は、無線電力受信装置上で動作しているソフトウェアアプリケーションと関連付けられる。
【０１３３】
[00149]  幾つかの実施形態において、無線電力受信装置に関連する１つ又は複数のデータ通信トラフィックプロファイルを確立することは、第１のデータ通信トラフィックプロファイルを確立するために、無線電力送信装置と無線電力受信装置との間で無線通信コンポーネントを介して交換されるアプリケーションデータを検出することと、第２のデータ通信トラフィックプロファイルを確立するために、無線電力送信装置と第１の無線電力受信装置の間で無線通信コンポーネントを介して交換される無線電力制御メッセージを検出することであって、無線電力制御メッセージが、複数の第１の無線電力信号と関連する１つ又は複数のパラメータを含むことと、アプリケーションデータ及び無線電力制御メッセージに優先度レベルをそれぞれ割り当てることと、を含む。幾つかの実施形態において、第１の無線電力送信プロファイルを決定することは、第１のデータ通信トラフィックプロファイル及び第２のデータ通信トラフィックプロファイルの優先度レベルに基づいて、複数の第１の無線電力信号の送信に優先度を付けることを含む。幾つかの実施形態において、アプリケーションデータ及び無線電力制御メッセージを送信するタイミングは、例えば、送信機通信コンポーネント（例えばコントローラ）に関連する同じ内部クロックを用いて同期される。幾つかの実施形態において、無線電力送信機は、第１のデータ通信トラフィックプロファイル及び第２のデータ通信トラフィックプロファイルの優先度を集め、（多数のタイプのアプリケーションデータが存在する場合に）分類し、且つ決定する。
【０１３４】
[00150]  幾つかの実施形態において、データトラフィックプロファイルはまた、無線電力送信装置と無線電力受信装置以外の追加装置との間で交換される追加データ信号の識別を含む。幾つかの実施形態において、追加装置は、無線電力送信装置に通信可能に結合される。幾つかの実施形態において、追加装置は、第１の無線電力受信装置のほかの別の電力受信機である。幾つかの実施形態において、データ通信トラフィックプロファイルは、アプリケーションデータ及び電力制御データ用のトラフィックプロファイルを含み、かかるトラフィックプロファイルは、パッド（無線電力を受信する電話からオーディオデータを受信するヘッドホンのペア）から電力を受信しない他の装置と同様に、パッドから無線電力を受信することになる装置用であってもよい。
【０１３５】
[00151]  幾つかの実施形態において、アプリケーションデータ及び無線電力制御メッセージを送信するタイミングは、同期されていない。これらの状況において、送信機及びコンピューティング装置のそれぞれの内部クロックは、同期のタイミングを調整するために用いられる。幾つかの実施形態において、第１の無線電力送信プロファイルを決定する前に、１つを超えるデータ通信トラフィックプロファイルが存在する場合に、無線電力送信機は、１つを超えるデータ通信トラフィックプロファイルのタイミングを同期させる。
【０１３６】
[00152]  幾つかの実施形態において、追加装置は、第２の無線電力受信装置であり、追加データ信号は、第２の無線電力受信装置と無線電力送信装置との間で交換される無線電力制御信号を含み、無線電力送信装置は、第２の無線電力受信装置に無線電力信号を送信するために用いる特定の特性を決定するために、無線電力制御信号を用いる。
【０１３７】
[00153]  幾つかの実施形態において、追加データ信号は、第２の無線電力受信装置と無線電力送信装置との間で交換される特定用途向けデータ信号を含む。幾つかの実施形態において、特定用途向けデータ信号は、第２の無線電力受信装置上で動作しているソフトウェアアプリケーションと関連付けられる。幾つかの実施形態において、追加調整がまた、送信を合図するために、且つ電力及びデータを２つ以上の相異なる受信装置にいつ送信するかに優先度を付けるために行われてもよい。例えば、第１の無線電力信号の送信及び第２の無線電力信号の送信は、（１）第１の無線電力受信装置及び第３の装置のそれぞれのバッテリ状態、（２）第１の無線電力受信装置及び第３の装置のそれぞれの装置タイプ（例えば作業／研究関連装置は、ゲーム装置に勝る優先度を付けられる）、並びに（３）（ｉ）無線電力送信装置と第１の無線電力受信装置との間、及び（ｉｉ）無線電力送信装置と第３の装置との間でそれぞれ交換されるアプリケーションデータの優先度レベルにおける１つ又は複数に従って、優先度を付けられてもよい。例えば、ビデオストリーミングは、ビデオストリーミング装置を用いている場合に、又はその逆にデータ受信が制限されている場合に、文書データに勝る優先度を付けられてもよい。
【０１３８】
[00154]  幾つかの実施形態において、データトラフィックプロファイルはまた、無線電力受信装置と無線電力送信装置以外の第２の装置との間で交換される特定用途向けデータ信号の識別を含む。幾つかの実施形態において、第２の装置は、無線電力受信装置と通信可能に結合され、特定用途向けデータ信号は、無線電力受信装置上で動作しているソフトウェアアプリケーションと関連付けられる。幾つかの実施形態において、第２の装置は、無線電力送信機によって無線で充電される電話からオーディオデータを受信するヘッドホンのペアなど、受信機の周辺装置である。幾つかの実施形態において、第２の装置（周辺装置）は、無線電力送信装置から無線電力信号を受信しない。
【０１３９】
[00155]  幾つかの実施形態において、無線電力送信機は、受信装置のそれぞれに電力をいつ送信するかを決定できるようにするために、各相異なる受電装置用に相異なるデータトラフィックプロファイルを設定することができる。幾つかの実施形態において、無線電力送信装置は、（ａ）第３の装置に結合され、且つ（ｂ）複数の無線電力信号を第３の装置に送信するように構成される。幾つかの実施形態において、１つ又は複数のデータ通信トラフィックプロファイルを確立することは、無線電力送信装置と第１の無線電力受信装置との間で交換される複数の第１の無線電力制御メッセージに関連する、且つ複数の第１の無線電力信号の送信に関連する第１のデータ通信トラフィックプロファイルを確立することと、第３の装置と無線電力送信装置との間で交換される複数の第２の無線電力制御メッセージに関連する、且つ複数の第２の無線電力信号の送信に関連する第２のデータ通信トラフィックプロファイルを確立することと、を更に含む。
【０１４０】
[00156]  幾つかの実施形態において、１つ又は複数のデータ通信トラフィックプロファイルは、無線電力送信装置と第１の無線電力受信装置との間で交換される１つ又は複数のタイプのアプリケーションデータと更に関連付けられる。幾つかの実施形態において、多数の電力受信機を充電するための多数の電力プロファイルが存在する。
【０１４１】
[00157]  幾つかの実施形態において、無線電力送信機は、１つ又は複数のデータ通信トラフィックプロファイル及び第１の無線電力送信プロファイルに基づいて、複数の第２の無線電力信号を送信することに関連する第２の無線電力送信プロファイルを更に決定する。幾つかの実施形態において、無線電力送信機は、次に、第１の無線電力送信プロファイルに従って、複数の第１の無線電力信号を複数のアンテナによって第１の無線電力受信装置に送信し、且つまた第２の無線電力送信プロファイルに従って、複数の第２の無線電力信号を第３の装置に送信する。
【０１４２】
[00158]  幾つかの実施形態において、無線電力送信機は、（１）第１の無線電力受信装置及び第３の装置のそれぞれのバッテリ状態、（２）第１の無線電力受信装置及び第３の装置のそれぞれの装置タイプ、及び（例えば作業／研究関連装置は、ゲーム装置に勝る優先度を付けられる）、並びに（３）（ｉ）無線電力送信装置と第１の無線電力受信装置との間、及び（ｉｉ）無線電力送信装置と第３の装置との間でそれぞれ交換されるアプリケーションデータの優先度レベル（例えばビデオストリーミングは、文書データに勝る優先度を付けられる）の１つ又は複数に従って、第１の無線電力信号の送信及び第２の無線電力信号の送信に優先度を付ける。
【０１４３】
[00159]  幾つかの実施形態において、データ信号は、複数の電力送信信号と同じ周波数帯域を用いて交換されることになる。幾つかの実施形態において、無線電力受信装置は、無線電力信号を受信し、且つそれを使用可能な電力に変換するための回路と、その回路に結合される電子装置を含む。幾つかの実施形態において、回路は、電子装置の動作電力を供給するか又はそのバッテリを充電するために、電子装置に使用可能な電力を供給する。幾つかの実施形態において、データトラフィックプロファイルを確立することは、無線データトランシーバに関連するコントローラから、データ信号の少なくとも幾つかに関する情報を１つ又は複数のプロセッサを介して取得することを含む。幾つかの実施形態において、データトラフィックプロファイルに含まれるデータ信号におけるそれぞれのデータ信号の識別は、それぞれのデータ信号用の送信特性を含む。
【０１４４】
[00160]  図１９Ｂは、幾つかの実施形態による、無線電力送信の方法１９５０を示す流れ図である。方法１９５０の動作（例えばステップ）は、無線電力送信を実行するために、方法１９００の１つ又は複数の動作と組み合わされてもよい。幾つかの実施形態において、方法１９５０は、コントローラと、無線データトランシーバ（例えば図１の通信コンポーネント１１２）と、１つ又は複数の無線電力受信装置に無線電力信号を送信するように構成された１つ又は複数のアンテナ（例えば図１のアンテナアレイ１１０）と、１つ又は複数のプロセッサ（図１プロセッサ１０４）と、を有する無線電力送信装置（例えば「無線電力送信機」、「送信機」とも呼ばれる図１の送信機１０２）によって実行されてもよい。幾つかの実施形態において、図１９Ｂに示されている動作の少なくとも幾つかは、コンピュータメモリ又はコンピュータ可読記憶媒体（例えば図１の送信機１０２のメモリ１０４）に格納された命令に対応する。
【０１４５】
[00161]  幾つかの実施形態において、トラフィックプロファイルの確立は、予め決定されてもよく（即ち、１つ又は複数のトリガイベントに従って確立する必要はない）、且つまたデータ信号に関する情報は、その場で検出されてもよく、又は電力受信装置若しくは他の或る装置によって送信機に報告されてもよい。幾つかの実施形態において、電力受信装置は、それ自体より多くの情報を集めてもよい（例えば、受信機は、近くの周辺装置又は他の電力受信若しくはデータ通信装置から情報を集めてもよい）。例えば、受信機は、近くのBluetoothマウスとキーボードとの間で交換されることになるデータ信号を報告してもよい。何故なら、それらの信号はまた、近くの高電力レベル信号の送信によって影響される可能性があるからである。
【０１４６】
[00162]  無線電力送信機は、無線電力送信装置の近くに位置する無線電力受信装置に１つ又は複数のアンテナを介して無線電力信号を送信する（１９５２）。次に、無線電力送信機は、無線電力送信装置と無線電力受信装置との間で交換されるデータ伝送信号に関する情報をコントローラによって受信する（１９５４）。
【０１４７】
[00163]  無線電力送信機は、無線電力受信装置への無線電力信号の送信が、データ信号におけるそれぞれのデータ信号の送信に勝る優先度を付けられるかどうかを判定するために、データ信号に関連する１つ又は複数の特性を評価する（１９５６）。幾つかの実施形態において、１つ又は複数の特性は、それぞれのデータ信号が、第１の期間中に、且つ第１の期間とは異なる第２の期間中に送信されることになることを示す。例えば、或る期間にわたって、バッテリレベル及び／又は充電の必要性を考えた場合に、どのタイプのデータが送信されるかである。
【０１４８】
[00164]  それぞれのデータ信号の送信が、第１の期間中に、無線電力信号の送信に勝る優先度を付けられるという決定に従って、無線電力送信機は、第１の期間中に、第１の無線電力受信装置への無線電力信号の送信を一時停止する（１９５８）。
【０１４９】
[00165]  無線電力信号の送信が、第２の期間中に、それぞれのデータ信号の送信に勝る優先度を付けられるという決定に従って、無線電力送信機は、第２の期間中に、第１の無線電力受信装置への無線電力信号の送信を再開する（１９６０）。
【０１５０】
[00166]  幾つかの実施形態において、データ通信信号の１つ又は複数のセットは、（１）複数の第１の無線電力信号の送信に関連する１つ又は複数のパラメータを含む電力制御データ信号のセットと、（２）無線電力送信装置と第１の無線電力受信装置との間で交換されるアプリケーションデータのセットと、の１つ又は複数を含む。
【０１５１】
[00167]  開示される実施形態の前述の説明は、どんな当業者も、本明細書で説明される実施形態及びそれらの変形を作成又は使用できるようにするために提供される。これらの実施形態に対する様々な修正が、当業者には容易に明らかになろう。本明細書で定義された一般的な原理は、本明細書で開示される主題の趣旨又は範囲から逸脱せずに、他の実施形態に適用され得る。従って、本開示は、本明細書で示される実施形態に限定されるようには意図されず、次の特許請求の範囲並びに本明細書で開示される原理及び新規の特徴と一致する最も広い範囲を与えられるべきである。
【０１５２】
[00168]  本発明の特徴は、本明細書で提示される特徴のいずれかを実行するように処理システムをプログラムするために用いることができる命令を自らに格納する記憶媒体又はコンピュータ可読記憶媒体などのコンピュータプログラムプロダクトにおいて、それを用いて、又はその支援で実現することができる。記憶媒体（例えばメモリ１０６、１３４及び／又は１４２）は、限定するわけではないが、ＤＲＡＭ、ＳＲＡＭ、ＤＤＲ  ＲＡＭ、又は他のランダムアクセス固体メモリ装置などの高速ランダムアクセスメモリを含むことができ、且つ１つ又は複数の磁気ディスク記憶装置、光学ディスク記憶装置、フラッシュメモリ装置、又は他の不揮発性固体記憶装置などの不揮発性メモリを含んでもよい。メモリ（例えば１０６、１３４及び／又は１４２）は、ＣＰＵ（例えばプロセッサ１０４、１３２及び／又は１４０）から遠隔に位置する１つ又は複数の記憶装置を任意選択的に含む。メモリ（例えば１０６、１３４及び／又は１４２）、又は代替としてメモリ内の不揮発性メモリ装置は、非一時的なコンピュータ可読記憶媒体を含む。
【０１５３】
[00169]  機械可読媒体のいずれか１つに格納されるので、本発明の特徴は、処理システムのハードウェア（送信機１０２及び／又は受信機１２０に関連するコンポーネントなど）を制御するための、且つ処理システムが、本発明の結果を利用する他の機構と対話できるようにするためのソフトウェア及び／又はファームウェアに組み込むことができる。かかるソフトウェア又はファームウェアは、限定するわけではないが、アプリケーションコード、装置ドライバ、オペレーティングシステム、及び実行環境／コンテナを含んでもよい。
【０１５４】
[00170]  本明細書で言及されるような通信システム（例えば通信コンポーネント１１２、１３６及び／又は１４４）は、有線及び／又は無線通信接続を介して任意選択的に通信する。通信システムは、ワールドワイドウェブ（ＷＷＷ）とも呼ばれるインターネット、イントラネット及び／又は携帯電話ネットワークなどの無線ネットワーク、無線ローカルエリアネットワーク（ＬＡＮ）及び／又メトロポリタンエリアネットワーク（ＭＡＮ）、並びに無線通信による他の装置などのネットワークと任意選択的に通信する。無線通信接続は、限定するわけではないが、無線周波数（ＲＦ）、無線周波数識別（ＲＦＩＤ）、赤外線、レーダ、音声、モバイル通信用グローバルシステム（ＧＳＭ）、拡張データＧＳＭ環境（ＥＤＧＥ）、高速ダウンリンクパケットアクセス（ＨＳＤＰＡ）、高速アップリンクパケットアクセス（ＨＳＵＰＡ）、Evolution、Data-Only（ＥＶ−ＤＯ）、ＨＳＰＡ、ＨＳＰＡ＋、デュアルセルＨＳＰＡ（ＤＣ−ＨＳＰＤＡ）、ロングタームエボリューション（ＬＴＥ）、近距離無線通信（ＮＦＣ）、ZigBee、広帯域符号分割多重アクセス（Ｗ−ＣＤＭＡ）、符号分割多重アクセス（ＣＤＭＡ）、時分割多重アクセス（ＴＤＭＡ）、Bluetooth、Wireless Fidelity(Wi-Fi)（例えばＩＥＥＥ１０２．１１ａ、ＩＥＥＥ１０２．１１ａｃ、ＩＥＥＥ１０２．１１ａｘ、ＩＥＥＥ１０２．１１ｂ、ＩＥＥＥ１０２．１１ｇ、及び／若しくはＩＥＥＥ１０２．１１ｎ）、ボイスオーバーインターネットプロトコル（ＶｏＩＰ）、Wi−MAX、ｅメール用プロトコル（例えばインターネットメッセージアクセスプロトコル（ＩＭＡＰ）及び／又はポストオフィスプロトコル（ＰＯＰ））、インスタントメッセージング（例えば拡張可能メッセージング及びプレゼンスプロトコル（ＸＭＰＰ）、インスタントメッセージング及びプレゼンスレバレッジングエクステンションズ（ＳＩＭＰＬＥ）用のセッション開始プロトコル、インスタントメッセージング及びプレゼンスサービス（ＩＭＰＳ））、及び／若しくはショットメッセージサービス（ＳＭＳ）、又はこの文献の出願日現在でまだ開発されていない通信プロトコルを含む任意の他の適切な通信プロトコルを含む複数の通信規格、プロトコル及び技術のいずれかを任意選択的に用いる。
【０１５５】
[00171]  用語「第１の」、「第２の」等が、様々な要素を説明するために本明細書で用いられ得るが、これらの要素が、これらの用語によって制限されたべきではないことが理解されよう。これらの用語は、１つの要素と別の要素を区別するために用いられるだけである。
【０１５６】
[00172]  本明細書で用いられる専門用語は、特定の実施形態だけを説明するためにあり、請求項の限定であるようには意図されていない。実施形態及び添付の特許請求の範囲の説明において用いられているように、単数形「a」、「an」及び「the」は、文脈が、別段のことを明白に示さない限り、同様に複数形を含むように意図されている。本明細書で用いられるような用語「及び／又は」は、関連するリストされた用語の１つ又は複数におけるいずれか及び全ての可能な組み合わせを指し且つ包含することもまた理解されよう。この明細書で用いられる場合に、用語「含む（comprises）」又は「含む（comprising）」が、言明された特徴、整数、ステップ、動作、要素、及び／又はコンポーネントの存在を明示するが、１つ又は複数の他の特徴、整数、ステップ、動作、要素、コンポーネント、及び／又はそれらのグループの存在又は追加を除外しないことが更に理解されよう。
【０１５７】
[00173]  本明細書で用いられているように、用語「if（場合）」は、文脈に依存して、先の言明された条件が真であること「when（〜の場合、とき）」、「〜のとき（on）」、「〜の決定に応じて」、「〜の決定に従って」、又は「検出に応じて」を意味すると解釈されてもよい。同様に、「［先の言明された条件が真であること］が決定される場合」か、「［先の言明された条件が真である］場合」か、又は「［先の言明された条件が真である］とき」という句は、文脈に依存して、先の言明された条件が真であることの「決定のときに」か、「決定に応じて」か、「決定に従って」か、又は「検出と同時に」か若しくは「検出に応じて」を意味すると解釈されてもよい。
【０１５８】
[00174]  説明のための前述の記載は、特定の実施形態に関連して記載された。しかしながら、上記の実例となる論述は、包括的であるようにも、開示された形態に請求項を正確に限定するようにも意図されていない。多くの修正及び変形が、上記の教示の点から見て可能である。実施形態は、動作の原理及び実際的な応用を最もよく説明し、それによって、当業者に手段を与えるために選択され説明された。
【図１】
2021509570.tif 000003
【図２】
2021509570.tif 000004
【図３】
2021509570.tif 000005
【図４】
2021509570.tif 000006
【図５】
2021509570.tif 000007
【図６】
2021509570.tif 000008
【図７】
2021509570.tif 000009
【図８】
2021509570.tif 000010
【図９】
2021509570.tif 000011
【図１０Ａ】
2021509570.tif 000012
【図１０Ｂ】
2021509570.tif 000013
【図１１】
2021509570.tif 000014
【図１２】
2021509570.tif 000015
【図１３】
2021509570.tif 000016
【図１４】
2021509570.tif 000017
【図１５】
2021509570.tif 000018
【図１６】
2021509570.tif 000019
【図１７】
2021509570.tif 000020
【図１８】
2021509570.tif 000021
【図１９Ａ】
2021509570.tif 000022
【図１９Ｂ】
2021509570.tif 000023
【国際調査報告】
2021509570.tif 000024
2021509570.tif 000025
2021509570.tif 000026